(57)【特許請求の範囲】
【請求項１】
ガス状化学物質が除去可能な空気清浄装置において、
清浄対象空気が通過可能な空気流通路と、
この空気流通路の途中に上下方向に延びて配設され且つ除去対象のガス状化学物質を除去するガス除去フィルタと、
前記空気流通路のうち前記ガス除去フィルタの上流側に配設される粒子捕獲用の粒子除去フィルタと、
前記空気流通路のうち前記ガス除去フィルタの下流側に配設され、当該ガス除去フィルタからの生成物を捕獲する補助フィルタと、
前記ガス除去フィルタに付設され、当該ガス除去フィルタに対して供給すべき前記ガス状化学物質捕獲用の捕獲剤を調整する捕獲剤調整装置と、を備え、
前記ガス除去フィルタは予め決められた部位に液状の捕獲剤が浸透保持可能なフィルタ基材が設けられた捕獲剤保持部を有し、
前記捕獲剤調整装置は、前記ガス除去フィルタの上方に設けられ、当該ガス除去フィルタの捕獲剤保持部の上端部の長手方向に亘って液状の捕獲剤を略均一に不連続供給する捕獲剤供給手段と、
前記捕獲剤保持部に保持されている液状の捕獲剤の濃度を検知する濃度センサと、
この濃度センサからの情報に基づいて前記捕獲剤保持部に保持されている液状の捕獲剤の濃度が目標値になるように前記捕獲剤供給手段による捕獲剤の供給量を制御する制御手段と、
前記ガス除去フィルタの下方に設けられ、前記捕獲剤保持部に保持されている液状の捕獲剤の余剰分を排出する排出手段と、を有することを特徴とする空気清浄装置。
【請求項２】
請求項１に記載の空気清浄装置において、
前記ガス除去フィルタの捕獲剤保持部は空気流通路の空気進行方向に交差するように配置されることを特徴とする空気清浄装置。
【請求項３】
請求項１に記載の空気清浄装置において、
前記ガス除去フィルタは複数段配列されていることを特徴とする空気清浄装置。
【請求項４】
請求項１に記載の空気清浄装置において、
前記ガス除去フィルタは捕獲剤保持部に少なくとも複数種の捕獲剤が保持可能であることを特徴とする空気清浄装置。
【請求項５】
請求項１に記載の空気清浄装置において、
前記ガス除去フィルタは粒子除去可能な構成を備えていることを特徴とする空気清浄装置。
【請求項６】
請求項１に記載の空気清浄装置において、
前記ガス除去フィルタと前記粒子除去フィルタとで通気速度が変更可能な通気速度可変手段を設けたことを特徴とする空気清浄装置。
【請求項７】
清浄対象空気が通過可能な空気流通路と、この空気流通路の途中に上下方向に延びて配設され且つ除去対象のガス状化学物質を除去し、予め決められた部位に液状の捕獲剤が浸透保持可能なフィルタ基材が設けられた捕獲剤保持部を有するガス除去フィルタとを備えたガス状化学物質が除去可能な空気清浄装置に用いられ、前記ガス除去フィルタに付設され、当該ガス除去フィルタに対して供給すべき前記ガス状化学物質捕獲用の捕獲剤を調整する捕獲剤調整装置であって、
前記ガス除去フィルタの上方に設けられ、当該ガス除去フィルタの捕獲剤保持部の上端部の長手方向に亘って液状の捕獲剤を略均一に不連続供給する捕獲剤供給手段と、
前記捕獲剤保持部に保持されている液状の捕獲剤の濃度を検知する濃度センサと、
この濃度センサからの情報に基づいて前記捕獲剤保持部に保持されている液状の捕獲剤の濃度が目標値になるように前記捕獲剤供給手段による捕獲剤の供給量を制御する制御手段と、
前記ガス除去フィルタの下方に設けられ、前記捕獲剤保持部に保持されている液状の捕獲剤の余剰分を排出する排出手段と、を有することを特徴とする捕獲剤調整装置。
【発明の詳細な説明】
【技術分野】
【０００１】
本発明は、有害なガス状化学物質を除去する空気清浄装置に係り、特に、ガス状化学物質除去効果の持続性を改善した空気清浄装置及びこれに用いられる捕獲剤調整装置に関する。
【背景技術】
【０００２】
近年、室内化学物質汚染により引き起こされる健康被害が相次ぎ、シックハウス問題が社会問題として表面化してきている。
この種のシックハウス問題は、ホルムアルデヒド等のＶＯＣ（Volatile Organic Compounds）のような有害なガス状化学物質が要因になっていることから、空気清浄装置としては、塵埃などの粒子を除去するもののほか、有害なガス状化学物質を除去するものが既に提供されつつある。
この種のガス状化学物質の除去方法としては、吸着法、触媒法、吸収法などが既に提案されている。
【０００３】
ここでいう吸着法としては、空気流通路内に活性炭や特殊なイオン交換体が含まれるガス除去フィルタを配設し、このガス除去フィルタにガス状化学物質を捕集するようにしたものがある（例えば特許文献１，２参照）。
また、触媒法としては、フィルタに触媒や酸化剤を添着又は付着させ、触媒や酸化剤の酸化作用によりガス状化学物質の無害化を図るようにしたものがある（例えば特許文献３）。
更に、吸収法としては、フィルタに浸透させた水又は薬液によってガス状化学物質を吸収除去するようにしたものがある（例えば特許文献４参照）。
【０００４】
【特許文献１】特開平１１−３３３３３号公報（実施例，図１）
【特許文献２】特公平６−８７９９６号公報（発明の構成，第１図）
【特許文献３】特開平１０−３３６５３号公報（発明の実施の形態，図１）
【特許文献４】特開２００５−１０２９２３号公報（発明を実施するための最良の形態，図１）
【特許文献５】特開２００１−１０４４６５号公報（発明の実施の形態１，図１）
【特許文献６】特開平９−１３７９５５号公報（発明の実施の形態，図２）
【発明の開示】
【発明が解決しようとする課題】
【０００５】
ところで、この種の空気清浄装置はいずれも有害なガス状化学物質を除去するものではあるが、近年、国土交通省の換気設備の認可基準として、化学物質除去性能の持続期間を延ばすことが必要不可欠になっており、如何に化学物質除去性能の持続期間を延ばすかが大きな技術的課題としてクローズアップされている。
ところが、特許文献１，２の吸着法を用いた空気清浄装置での持続期間は、装置の使用量にもよるがおおよそ数ヶ月程度の寿命であり、寿命の点で不十分な点が見られる。
また、特許文献３の触媒法を用いた空気清浄装置では、寿命の点ではある程度許容されるものの、吸着法に比べて化学物質除去性能が低く、二次生成物による空気汚染が生ずる懸念がある。
更に、特許文献４の吸収法については吸収剤を常時供給する方式が採られているため、吸収剤の使用量が不必要に多くなるという不具合が見られ、吸収剤を無駄にすることなく、如何に化学物質除去性能の持続時間を延ばすかについては何ら考慮されていない。
【０００６】
本発明は、以上の技術的課題を解決するためになされたものであって、捕獲剤を無駄に使用することなく、ガス状化学物質の捕獲性能を常時良好に保ちながら、ガス除去フィルタの寿命を延ばすことを可能とした空気清浄装置及びこれに用いられる捕獲剤調整装置を提供するものである。
【課題を解決するための手段】
【０００７】
すなわち、本発明の基本的構成は、図１（ａ）に示すように、ガス状化学物質が除去可能な空気清浄装置において、清浄対象空気Airが通過可能な空気流通路１と、この空気流通路１の途中に上下方向に延びて配設され且つ除去対象のガス状化学物質を除去するガス除去フィルタ２と、空気流通路１のうちガス除去フィルタ２の上流側に配設される粒子捕獲用の粒子除去フィルタ８と、空気流通路１のうちガス除去フィルタ２の下流側に配設され、当該ガス除去フィルタ２からの生成物を捕獲する補助フィルタ９と、ガス除去フィルタ２に付設され、当該ガス除去フィルタ２に対して供給すべきガス状化学物質捕獲用の捕獲剤４を調整する捕獲剤調整装置５と、を備えたものである。
【０００８】
ここで、本発明の代表的態様としては、図１(ａ)に示すように、前記ガス除去フィルタ２は予め決められた部位に液状の捕獲剤４が浸透保持可能なフィルタ基材が設けられた捕獲剤保持部３を有し、前記捕獲剤調整装置５は、前記ガス除去フィルタ２の上方に設けられ、当該ガス除去フィルタ２の捕獲剤保持部３の上端部の長手方向に亘って液状の捕獲剤４を略均一に不連続供給する捕獲剤供給手段６と、前記捕獲剤保持部３に保持されている液状の捕獲剤４の濃度を検知する濃度センサ（図示せず）と、この濃度センサからの情報に基づいて前記捕獲剤保持部３に保持されている液状の捕獲剤４の濃度が目標値になるように前記捕獲剤供給手段６による捕獲剤４の供給量を制御する制御手段（図示せず）と、前記ガス除去フィルタ２の下方に設けられ、前記捕獲剤保持部３に保持されている液状の捕獲剤の余剰分を排出する排出手段７と、を有する態様が挙げられる。つまり、捕獲剤４を補給することを前提とする態様（捕獲剤補給型）である。
本態様において、ガス状化学物質としては、ホルムアルデヒド等のＶＯＣを主として対象とするが、これ以外も広く含む。
また、空気流通路１は単一構成のものは勿論であるが、複数構成のものでもよい。複数構成の場合、そのうちの少なくとも一つに本件のガス除去フィルタ２、捕獲剤調整装置５を装備すればよい。
更に、捕獲剤４としては、吸着剤、吸収剤など捕獲対象であるガス状化学物質を捕獲できる液状のものは広く含む。
更にまた、ガス除去フィルタ２としては捕獲剤保持部３を有すればよく、その数、設置状態については任意である。
また、捕獲剤調整装置５としては捕獲剤保持部３に対する捕獲剤４の保持状態を使用可能範囲に調整するものであればよいが、本態様では、ガス除去フィルタ２の捕獲剤保持部３に捕獲剤４が略均一に補給可能とする捕獲剤供給手段６を有することを要する。
尚、本発明は液状の捕獲剤４を使用する態様を対象とするものであるが、霧状の捕獲剤４を使用する態様に本発明を応用することは可能である。この場合、図１（ａ）に示すように、前記ガス除去フィルタ２は予め決められた部位に霧状の捕獲剤４が浸透保持可能なフィルタ基材が設けられた捕獲剤保持部３を有し、前記捕獲剤調整装置５は、前記ガス除去フィルタ２の捕獲剤保持部３に対して霧状の捕獲剤４が略均一に保持されるように前記捕獲剤４を不連続供給する捕獲剤供給手段６と、前記捕獲剤保持部３に対応して設けられ且つ捕獲剤保持部３に保持されている捕獲剤４の一部を排出する排出手段７と、を有する態様とすればよい。
また、本発明に関連する関連発明について説明すると、代表的には、以下の３つの態様が挙げられる。
第１の態様としては、図１（ｂ）に示すように、前記ガス除去フィルタ２は予め決められた部位に粉体状の捕獲剤４が保持可能な収容空間が設けられた捕獲剤保持部３を有し、前記捕獲剤調整装置５は、前記ガス除去フィルタ２の捕獲剤保持部３に対して捕獲剤４が略均一に保持されるように前記捕獲剤４を不連続供給する捕獲剤供給手段６と、前記捕獲剤保持部３に対応して設けられ且つ捕獲剤保持部３に保持されている捕獲剤４の全部若しくは一部を排出する排出手段７と、を有する態様が挙げられる。
この第１の態様は、捕獲剤４を補給・交換することを前提とする態様（捕獲剤補給・交換型）であり、捕獲剤４としては、流動性の良い粉体（顆粒体も含む）など適宜選定して差し支えなく、代表的にはグラフト重合薬剤（段落〔００２８〕参照）などが使用されるが、これに限られるものではない。
【０００９】
また、関連発明の第２の態様としては、図２に示すように、前記ガス除去フィルタ２は捕獲剤４が保持可能で移動自在に設けられた捕獲剤保持部３を有し、前記捕獲剤調整装置５は、前記ガス除去フィルタ２の捕獲剤保持部３に保持される未使用捕獲剤が劣化せずに保管可能な未使用捕獲剤保管手段１０と、前記ガス除去フィルタ２の捕獲剤保持部３に対して前記未使用捕獲剤保管手段１０に保管された捕獲剤４を略均一に保持させ且つ前記捕獲剤保持部３を移動させることで前記捕獲剤４を不連続供給する捕獲剤供給手段６と、を有する態様が挙げられる。つまり、捕獲剤保持部３を移動させることを前提とする態様（捕獲剤保持部移動型）である。
この第２の態様では、捕獲剤４はガス除去フィルタ２の捕獲剤保持部３に予め保持された態様でもよいし、あるいは、使用時に捕獲剤保持部３に保持させる態様でもよい。
【００１０】
更に、関連発明の第３の態様としては、図３に示すように、前記ガス除去フィルタ２は予め決められた部位に捕獲剤４が保持可能な捕獲剤保持部３を有し、前記捕獲剤調整装置５は、前記ガス除去フィルタ２の捕獲剤保持部３に対して予め略均一に保持される捕獲剤４と、前記空気流通路１が切替選択可能に設けられ、前記ガス除去フィルタ２の捕獲剤保持部３における捕獲剤保持領域を切替選択する切替手段１６と、を有する態様が挙げられる。つまり、空気流通路１を切替えることを前提とする態様（空気流通路切替型）である。
【００１１】
ここで、捕獲剤保持部３の代表的態様としては、図１(ａ)又は図２に示すように、液状若しくは霧状の捕獲剤４が浸透保持可能なフィルタ基材を有するものが挙げられる。
また、捕獲剤保持部３の他の態様としては、捕獲剤４が保持可能な収容空間を有するものが挙げられる。本態様では、捕獲剤としては、流動性の良い粉体や液体が対象となる。そして、捕獲剤保持部３の構成例としては、ガス除去フィルタ単独で捕獲剤保持部３を構成する態様は勿論、例えば図１(ｂ)に示すように、プレフィルタ（例えば粒子除去フィルタ８）、ポストフィルタ（補助フィルタ９）間の空間部にて構成するようにしてもよい。
更に、捕獲剤保持部３の別の態様としては、図２又は図３に示すように、捕獲剤４が含まれる捕獲剤層をベース基材に積層したフィルタ基材を有するものが挙げられる。
【００１２】
更にまた、捕獲剤保持部３の別の態様としては、拡散スクラバー法（段落〔００８３〕参照）に基づくものが挙げられる。この拡散スクラバー法を用いると、流路抵抗が少なく、簡単にガス捕集を行うことができる点で好ましい。また、ガス捕集の吸収液としては水を使用すればよく、水に溶ける多くのガス状化学物質を捕集することができる。
また、捕獲剤保持部３のレイアウトとしては、空気流通路１の空気進行方向に交差するように配置されてもよいし、あるいは、空気流通路１の空気進行方向に沿って略平行に配置される等適宜選定して差し支えない。
ここで、前者の態様（交差配置方式）にあっては、交差していればよいため、空気進行方向に対して直交配置していない態様も含む。一方、後者の態様（平行配置方式）にあっては、捕獲剤保持部３は空気との接触面積を広く確保することが好ましい。
【００１３】
更に、ガス除去フィルタ２としては単数配列でよいが、ガス状化学物質の除去性能を向上させるという観点からすれば、複数段配列されている態様が好ましい。
この場合、複数段配列の態様としては、空気進行方向に沿って縦列若しくはこれに直交して並列するなど適宜選定して差し支えない。ここでいう‘複数段’とは複数のガス除去フィルタ２を複数配列する態様は勿論であるが、例えばウェブ方式の一つのガス除去フィルタ２を複数段に折り返して用いる態様をも含む。
また、ガス除去フィルタ２としては、捕獲剤保持部３に単一の捕獲剤４を保持したもので差し支えないが、複数種のガス状化学物質を除去する場合には複数の捕獲剤４を保持するようにすればよい。この場合、ガス除去フィルタ２を複数設ける態様に限らず、一つのガス除去フィルタ２に複数主の捕獲剤４を設けるようにしてもよい。尚、複数種の捕獲剤４としては、全て異なる捕獲剤４であることは必ずしも必要ではない。
更に、ガス除去フィルタ２としては粒子除去可能な構成を備えるようにしてもよい。本態様では、粒子除去性能を兼用することができるため、粒子除去フィルタ８を別途設ける必要性がなく、その分、フィルタ構成を簡略化することができる。
【００１４】
また、捕獲剤調整装置５の好ましい態様としては、捕獲剤４の使用履歴許容限界値に対応する信号をトリガーとして捕獲剤保持部３に対する捕獲剤４の保持状態を調整する態様が挙げられる。このトリガー調整方式によれば、例えば捕獲剤４の使用履歴限界をセンサ等で直接若しくは間接的に検出し、この検出信号をトリガーとして捕獲剤４の寿命が終了する前に捕獲剤４を補給又は交換するようにすればよい。
更に、捕獲剤調整装置５の別の好ましい態様としては、捕獲剤４の使用履歴許容限界値に基づく期間毎に捕獲剤保持部３に対する捕獲剤４の保持状態を定期調整するものが挙げられる。この定期調整方式によれば、例えば捕獲剤４の使用履歴限界に基づいて適切な期間を定め、捕獲剤４の寿命が終了する前に捕獲剤４を定期的に補給又は交換するようにすればよい。そして、本態様は、例えば管理会社等からの調整指示（指示形式としてはメール指示等各種）に応じてユーザー自身が手動調整する態様や、定期的なメンテナンス調整に併せて定期調整を行う態様も含む。
【００１５】
次に、第１の態様における捕獲剤調整装置５の捕獲剤供給手段６の代表的態様としては、図１(ａ)に示すように、捕獲剤保持部３に対応して設けられ且つ捕獲剤保持部３に保持可能な補給若しくは交換用の捕獲剤４を不連続供給するものであればよい。本態様において、捕獲剤４は粉状、液状、霧状を問わず、捕獲剤供給手段６は捕獲剤４を不連続供給するものであることを要する。ここでいう‘不連続供給’とは連続供給（常時供給）を除外するものであり、必要に応じて供給することを意味する。このため、捕獲剤が不必要に消費されることは防止される。
また、捕獲剤保持部３の配置姿勢は任意であるが、重力作用を有効に利用するという観点からすれば、少なくとも鉛直方向成分を含む姿勢（鉛直配置姿勢のみならず傾斜配置姿勢も含む）であることが好ましい。
更に、捕獲剤供給手段６にて捕獲剤４を補給若しくは交換する場合には、廃棄可能な捕獲剤４の処理については捕獲剤補給・交換時に取り除くようにしてもよいが、図１(ａ)(ｂ)に示すように、捕獲剤保持部３に対応して設けられ且つ捕獲剤保持部３に保持されていた捕獲剤４の全部若しくは一部が排出可能な排出手段７を設ける方式（捕獲剤排出方式）が好ましい。
【００１６】
また、捕獲剤供給方式の好ましい態様としては、ガス除去フィルタ２の捕獲剤保持部３に対し捕獲剤４が均一に供給可能な均一供給要素を有するものが挙げられる。ここで、捕獲剤４としては、主として液状捕獲剤を想定しているが、霧状、粉体などにも適用可能である。
本態様は、捕獲剤保持部３に液状捕獲剤を均一に浸透させる上で好ましく、均一供給要素としては、液状捕獲剤が均一に蓄積されるタンクを設置した態様や、少なくとも均等配置された複数箇所にノズルを設けた態様、更に、ガイド部材を別途設ける態様が挙げられる。
更に、捕獲剤保持部３としても、捕獲剤４が略均一に浸透するような工夫（捕獲剤保持部を構成する繊維要素等に拡散浸透性を付与するなど）を施すことが好ましい。
【００１７】
また、捕獲剤供給方式の好ましい態様としては、ガス除去フィルタ２の捕獲剤保持部３に保持される捕獲剤の使用履歴が検出可能な使用履歴センサを有し、この使用履歴センサからの検出信号に基づいて捕獲剤の供給動作を制御するものが挙げられる。ここでいう‘捕獲剤の使用履歴’としては、捕獲剤量に対応する濃度情報や捕獲剤の使用履歴に伴う電気特性変化などが挙げられる。
更に、捕獲剤供給方式の好ましい態様としては、ガス除去フィルタ２の捕獲剤保持部３に保持された捕獲剤４との反応物が処理可能な加熱処理要素を備えているものが挙げられる。本態様によれば、加熱処理要素にて捕獲剤との反応物を除去することができる。但し、この反応物については有害であることが多いため、加熱処理後の反応物についての廃棄処理には注意を要する。
【００１８】
また、捕獲剤調整装置５の捕獲剤供給手段６の別の態様としては、ガス除去フィルタ２の捕獲剤保持部３全域に霧状捕獲剤が散布可能なスプレー要素を備えている態様（スプレー方式）が挙げられる。このスプレー要素には多数のノズルを通じて散布する方式や、圧力缶に充填された霧状捕獲剤を噴霧する方式などがある。
更に、捕獲剤調整装置５の捕獲剤供給手段６の別の態様としては、ガス除去フィルタ２の捕獲剤保持部３全域を清掃する清掃部材と、この清掃部材による清掃処理の後に前記捕獲剤保持部３に対して霧状捕獲剤が散布可能なスプレー要素とを備えている態様が挙げられる。本態様によれば、清掃部材による清掃過程を経ることで、捕獲剤保持部３によるスプレー散布による捕獲剤を均一塗布することが可能である。
【００１９】
更に、捕獲剤調整装置５の捕獲剤供給手段６の他の態様としては、補給若しくは交換用の捕獲剤が供給可能に収容されている捕獲剤供給カートリッジを有するものが挙げられる。この場合、捕獲剤供給カートリッジとしては、ガス除去フィルタ２の寿命に対応する捕獲剤を一括収容するようにしてもよいし、複数パーツに分割し、捕獲剤を分割供給可能に収容するようにしてもよい。
【００２０】
また、本発明の第２の態様の代表的態様としては、図２に示すように、ガス除去フィルタ２が移動自在なウェブ状フィルタ基材を有し、このフィルタ基材に捕獲剤保持部３を設けると共にこの捕獲剤保持部３に捕獲剤４を常時保持させたものであり、捕獲剤調整装置５が、ウェブ状ガス除去フィルタ２の一端側を巻き戻し部材１１に巻き戻し可能に巻き付け、前記他端を巻き取り部材１２に巻き取り可能に係止させたものであり、巻き取り部材１２の巻き取り動作に連動してウェブ状ガス除去フィルタ２を順次移動させる態様（ウェブ巻き取り方式）が挙げられる。
このウェブ巻き取り方式は例えば特許文献５，６に示すように公知の手法を広く用いることが可能であるが、本発明では未使用捕獲剤保管手段１０を備えている点を特徴とするものである。
【００２１】
ここで、ウェブ巻き取り方式の好ましい態様としては、捕獲剤調整装置５の未使用捕獲剤保管手段１０が、巻き戻し部材１１が収納される巻き戻しホルダ１３を有し、この巻き戻しホルダ１３にはウェブ状ガス除去フィルタ２が巻き戻し可能に引き出される引出口１４を形成すると共に、この引出口１４とウェブ状ガス除去フィルタ２との間を密封手段１５にて密封し且つウェブ状ガス除去フィルタ２を移動自在にしたものがある。
本態様において、密封手段１５にはシール部材を用いる態様の他、引出口の一方の縁部をバネ作用で付勢し、ウェブ状ガス除去フィルタを挟持する態様が挙げられる。但し、この密封手段１５は密封性とフィルタ引出性とを両立することを要する。
このように、本態様によれば、密封手段１５の存在により、巻き戻しホルダ１３内の巻き戻し部材１１に巻き付けられているウェブ状ガス除去フィルタ２の経時変化（劣化）を防止することができる。
【００２２】
更に、密封手段１５としてのシール部材の好ましい態様としては、シール部材に捕獲剤と同等な捕獲剤を含める態様がある。この場合、シール部材でガス状化学物質を捕獲するため、巻き戻しホルダ１３内でのウェブ状ガス除去フィルタ２の劣化をより抑制可能である。
また、ウェブ巻き取り方式の別の態様としては、捕獲剤調整装置５の未使用捕獲剤保管手段１０が、巻き戻し部材１１が収納される巻き戻しホルダ１３を有し、この巻き戻しホルダ１３内に捕獲剤と同等の補助捕獲剤を設置する態様がある。
【００２３】
更に、本発明における第３の態様の捕獲剤調整装置５の代表的態様としては、図３に示すように、空気流通路１が複数の領域（１ａ〜１ｃ）に切替選択可能な切替手段１６としてのシャッタを有し、このシャッタにて切替選択された空気流通路１に対応してガス除去フィルタ２の捕獲剤保持領域（捕獲剤保持部３の領域３ａ〜３ｃに相当)を切替選択するものが挙げられる。
本態様は一つの空気流通路開口をシャッタにて選択するものである。
また、捕獲剤調整装置５の他の代表的態様としては、図３に示すように、複数の空気流通路１（例えば１ａ〜１ｃ）が切替選択可能な切替手段１６としてのバルブを有し、複数の空気流通路１に対応して夫々ガス除去フィルタ２（夫々捕獲剤保持部３ａ〜３ｃを具備）を配置したものが挙げられる。
【００２４】
更に、本発明の好ましい態様としては、図１ないし図３に示すように、空気流通路１のうちガス除去フィルタ２の上流側に粒子捕獲用の粒子除去フィルタ（プレフィルタ）８を備えているものが挙げられる。本態様によれば、ガス除去フィルタ２の目詰まりを防止することができる点で好ましい。
ここで、粒子除去フィルタ８の代表例は粉塵フィルタであり、この粒子除去フィルタ８は固定型、移動型を問わない。
また、本発明の好ましい態様としては、例えば図１，図２に示すように、更に、空気流通路１のうちガス除去フィルタ２の下流側に補助フィルタ（ポストフィルタ）９を備えているものが挙げられる。本態様によれば、例えば活性炭等のフィルタを設けることにより、ガス除去フィルタ２からの生成物（放電生成物や付着した飛散物等）を除去することが可能である。
【００２５】
更に、本発明の好ましい態様としては、例えば図１，図２に示すように、空気流通路１の途中に配設される粒子捕獲用の粒子除去フィルタ８を備え、ガス除去フィルタ２と粒子除去フィルタ８とで通気速度が変更可能な通気速度可変手段を設けるものが挙げられる。本態様によれば、通気速度が高速である場合には粒子除去フィルタ８による粒子除去効率が高くなり、一方、通気速度が低速である場合にガス除去フィルタ２によるガス状化学物質の除去効率が向上することになり、塵埃などの粒子及びガス状化学物質の両方を効率的に捕獲することができる。
また、本発明は、空気清浄装置を対象とするが、これに用いられる捕獲剤調整装置５をも対象とする。
【発明の効果】
【００２６】
本発明に係る空気清浄装置によれば、液状の捕獲剤を無駄に使用することなく、ガス状化学物質の捕獲性能を常時良好に保ちながら、ガス除去フィルタの寿命を延ばすことができる。
また、本発明に係る空気清浄装置に用いられる捕獲剤調整装置によれば、液状の捕獲剤を無駄に使用することなく、ガス状化学物質の捕獲性能を常時良好に保ちながら、ガス除去フィルタの寿命を延ばすことが可能な空気清浄装置を簡単に構築することができる。
【発明を実施するための最良の形態】
【００２７】
以下、添付図面に示す実施の形態に基づいてこの発明を詳細に説明する。
◎実施の形態１
図４は本発明が適用された空気清浄装置の実施の形態１を示す。
同図において、空気清浄装置２０は、空気流通路２１が区画形成されるエアダクト２２を有し、このエアダクト２２の入口開口２３には入口ルーバー２４を設けると共に、エアダクト２２の出口開口２５には出口ルーバー２６を設け、空気流通路２１には入口側から順にプレフィルタ３１、細かな粉塵除去用の粒子除去フィルタ３２、ホルムアルデヒド等のＶＯＣ除去用のガス除去フィルタ３３、ガス除去フィルタ３３からの生成物除去用の補助フィルタ３４を配設し、更に、プレフィルタ３１と粒子除去フィルタ３２との間に送風ファン４０を配設したものである。
そして、本実施の形態では、ガス除去フィルタ３３にはガス捕獲用の液状の捕獲剤（液剤）５０を調整する捕獲剤調整装置１００が付設されている。
【００２８】
本実施の形態において、ガス除去フィルタ３３は液状の捕獲剤５０が浸透保持可能なフィルタ基材５１を固定的に配設したものである。
ここで、液状の捕獲剤５０としては、対象汚染物質（捕獲ターゲット）の性質により適宜選定される。例えば捕獲ターゲットがホルムアルデヒドである場合には公知のホルムアルデヒドキャッチャー剤が用いられ、ホルムアルデヒドと他のＶＯＣとの混合ガスの場合にはグラフト重合薬剤（例えば基体に極性物質の吸着能を有する官能基として親水性基及びカチオン性解離基並びに／又はアニオン性解離基を含むマクロモノマーをグラフト重合により結合されている吸着剤：特開２００１−１７８８０４号公報参照）が用いられる。また、フィルタ基材５１としては液状の捕獲剤が浸透保持される繊維状ウェブを始め、不織布、紙、樹脂など通気性のある材質を使用した膜、また、ハニカム状など通気性のある形状を有するもの等適宜選定して差し支えない。
【００２９】
また、本実施の形態において、捕獲剤調整装置１００は、図５に示すように、捕獲剤５０が補給可能な捕獲剤供給装置１０１を有している。この捕獲剤供給装置１０１は、所定量の捕獲剤５０が貯蔵される捕獲剤供給タンク１０２を配設する一方、ガス除去フィルタ３３の上部には複数のノズル部がガス除去フィルタ３３の上縁長さ方向に沿って略均等に配列される均等配分ノズル１０３を配設し、前記捕獲剤供給タンク１０２と均等配分ノズル１０３との間を供給配管１０４を介して連通接続すると共に、この供給配管１０４の途中にはポンプ１０５及び流量調整弁１０６を介在させたものである。尚、捕獲剤供給タンク１０２にはガス除去フィルタ３３の想定寿命（例えば一年）に対応する捕獲剤５０が予め収容されている。また、図５中、符号１０７は捕獲剤供給タンク１０２の供給口、１０８はドレン配管である。
更に、ガス除去フィルタ３３内には浸透した捕獲剤５０の濃度検知用の濃度センサ１１０が適宜数設置されており、この濃度センサ１１０からの情報が流量制御装置１１１に入力されるようになっている。この流量制御装置１１１は流量調整弁１０６の開度を調整することにより薬液（捕獲剤）注入量を制御するものであり、前記濃度センサ１１０からのセンサ出力をフィードバック信号として運転され、ガス除去フィルタ３３のフィルタ基材５１での薬液濃度が一定値になるように薬液注入量を制御する濃度調整モードを持つ。また、本例では、流量制御装置１１１は、前記方式とは別に、タイマーにてある一定期間毎に薬液を供給する定期供給モードを併せ持つ。
【００３０】
更にまた、本実施の形態において、捕獲剤調整装置１００は捕獲剤の廃液が排出可能な排出装置１１２を有しており、この排出装置１１２はガス除去フィルタ３３の下部に廃液タンク１１３をドレン配管１１４を介して連通接続したもので、余剰の捕獲剤５０を廃液タンク１１３に排出するように構成したものである。
また、本実施の形態では、ガス除去フィルタ３３の通風面にはフィルタ加熱装置１１５が設けられている。このフィルタ加熱装置１１５は例えばガス除去フィルタ３３の通風面の略全域に亘ってクロス状に配列されるヒータ線にて構成されており、例えば加熱制御装置１１６からの制御信号に基づいて定期的に加熱され、ガス除去フィルタ３３のフィルタ基材５１内に蓄積される捕獲剤反応物を定期的に除去する。この場合、除去される捕獲剤反応物が室内を汚染しないように、例えば活性炭のような物理吸着材を配置する等配慮することが必要である。尚、フィルタ加熱装置１１５に代えて予定される反応生成物を化学的に処理する方式を採用しても差し支えない。
【００３１】
従って、本実施の形態に係る空気清浄装置によれば、汚染された清浄対象空気Airは送風ファン４０により空気流通路２１内に取り込まれる。このとき、清浄対象空気Airの塵埃等の粒子のうち大きな粒子はプレフィルタ３１で除去され、次いで、プレフィルタ３１を通過した細かな粒子が粒子除去フィルタ３２にて除去され、更に、ホルムアルデヒド等のガス状化学物質がガス除去フィルタ３３にて除去され、最後に、ガス除去フィルタ３３からの生成物（放電生成物や付着した飛散物）が補助フィルタ３４にて除去される。
特に、本実施の形態に係る捕獲剤供給装置１０１によれば、ガス除去フィルタ３２のフィルタ基材５１には液状捕獲剤（液剤）５０が必要に応じて補充供給され、かつ、均等配分ノズル１０３により略均等に配分されるようになっているため、ガス除去フィルタ３３のフィルタ基材５１は長期に亘って液剤５０の浸透度合が略均一な状態に保たれることになり、その分、ガス除去フィルタ３３によるガス除去性能は長期に亘って安定的に維持される。このとき、ガス除去フィルタ３３に液剤５０が常時供給され続ける必要はないため、液剤５０が不必要に消費される懸念はない。
【００３２】
尚、本実施の形態では、ガス除去フィルタ３３の途中に濃度センサ１１０を配設し、ガス除去フィルタ３３のフィルタ基材５１に浸透する液状捕獲剤（液剤）５０の濃度を検出するようにしているが、例えば図６(ａ)に示すように、ガス除去フィルタ３３のフィルタ基材５１の下端部近傍に含浸センサ１１７を配設し、この含浸センサ１１７からの信号に基づいてフィルタ基材５１への液剤５０の含浸状態を検出し、この含浸センサ１１７からの信号に応じて流量調整弁１０６を制御するようにしても差し支えない。また、本実施の形態では、ガス除去フィルタ３３は単一列のフィルタ基材５１にて構成されているが、これに限られるものではなく、例えば図６(ｂ)に示すように、複数列のフィルタ基材５１（例えば５１ａ〜５１ｃ）を用い、フィルタ基材５１との通風接触面積を増加させるようにしてもよいし、あるいは、図６(ｃ)に示すように、フィルタ基材５１に蛇腹状の折り畳み部５１ｄを設け、フィルタ基材５１の実質的な通風接触面積を増加させるようにしてもよい。
【００３３】
◎実施の形態２
図７は本発明が適用された空気清浄装置の実施の形態２を示す要部説明図である。
同図において、捕獲剤調整装置１００の基本的構成は、実施の形態１と略同様であるが、実施の形態１と異なる捕獲剤供給装置１０１を備えている。尚、実施の形態１と同様な構成要素については実施の形態１と同様な符号を付してここではその詳細な説明を省略する。
本実施の形態で用いられる捕獲剤供給装置１０１は、液状捕獲剤（液剤）５０が複数に分割されて供給される捕獲剤分割供給機構１２０と、ガス除去フィルタ３３のフィルタ基材５１の上部に設けられ且つ捕獲剤分割供給機構１２０にて分割供給された捕獲剤５０を一時的に貯蔵した後前記フィルタ基材５１に浸透供給する捕獲剤貯蔵タンク１３０とを備えている。
【００３４】
本実施の形態において、捕獲剤分割供給機構１２０は、図８(ａ)に示すように、図示外の交換機構により複数の供給容器１２１を直列交換可能に配置すると共に、各供給容器１２１に予め液状捕獲剤（液剤）５０を充填しておき、液剤押出機構１２６にて各供給容器１２１内の液剤を押出し供給するようにしたものである。
ここで、各供給容器１２１は一端側に吐出口１２３が開口されたシリンジ１２２の他端側にピストン１２４を可動自在に配置したものであり、各シリンジ１２２内には液状捕獲剤（液剤）５０を所定量充填しておき、シリンジ１２２の吐出口１２３を密閉シール１２５にて一次的に塞ぐものである。
また、液剤押出機構１２６は例えば駆動モータ１２７の回転に応じて進退自在に移動する押出ロッド（例えば駆動モータ１２７と同軸のギアに噛合するラックを具備するロッド）１２８を有し、この押出ロッド１２８にて供給容器１２１のピストン１２４を移動させるようにしたものである。
【００３５】
従って、本実施の形態に係る捕獲剤調整装置１００によれば、例えばガス除去フィルタ３３内の液剤５０を補給する必要が生じた場合、濃度センサ１１０からの検出信号が流量制御装置１１１に入力されると、この流量制御装置１１１は捕獲剤分割供給機構１２０に対して捕獲剤補給制御信号を送出する。すると、捕獲剤分割供給機構１２０は図示外の交換機構により捕獲剤が充填された供給容器１２１を所定の供給位置に移動させた後、液剤押出機構１２６にてピストン１２４を移動させ、供給容器１２１の密閉シール１２５を取り除くと共に供給容器１２１内の液剤５０を捕獲剤貯蔵タンク１３０に吐出する。
この後、捕獲剤貯蔵タンク１３０に吐出された液剤５０はガス除去フィルタ３３のフィルタ基材５１の上部の略全域から略均一に浸透していくため、ガス除去フィルタ３３に対して液剤５０が略均一に補給される。
尚、本実施の形態では、捕獲剤分割供給機構１２０は直列交換可能に構成されているが、これに限られるものではなく、例えば図８(ｂ)(ｃ)に示すように、回転可能なリボルバ１２９に複数の供給容器１２１を搭載し、所定の供給位置に順次移動させるようにしてもよい。この場合、各供給容器１２１の配設方向としては横置きの態様が示されているが、縦置きの態様でもよいことは勿論である。
【００３６】
◎実施の形態３
図９(ａ)は本発明が適用される空気清浄装置の実施の形態３の要部を示す。
同図において、ガス除去フィルタ３３には、実施の形態１，２と同様に捕獲剤調整装置１００が付設されているが、捕獲剤供給装置１０１の構成が実施の形態１，２と異なるものになっている。
すなわち、本実施の形態で用いられる捕獲剤供給装置１０１は、実施の形態１と同様な捕獲剤供給タンク１０２を有し、この捕獲剤供給タンク１０２からの供給配管１０４の一部には流量調整弁１０６を介在させたものであるが、実施の形態１と異なり、供給配管１０４の端部に捕獲剤浸透ガイド１４０を設け、ガス除去フィルタ３３のフィルタ基材５１に捕獲剤（液剤）５０を略均一に浸透させるようしたものである。
ここで、捕獲剤浸透ガイド１４０は、ガス除去フィルタ３３のフィルタ基材５１よりも流動性に優れた材料（例えば樹脂）にて一体的に構成されており、例えば図９(ａ)(ｂ)に示すように、ガス除去フィルタ３３のフィルタ基材５１の片面に貼り付けたもので、供給配管１０４の端部からフィルタ基材５１の上縁全体に末広がり状に広がる拡開部１４１を有し、この拡開部１４１から下方に垂下する複数の垂下部１４２を形成すると共に、各垂下部１４２には斜め下方に向かう適宜数の分岐部１４３を形成したものである。
【００３７】
本実施の形態において、捕獲剤供給装置１０１は、流量調整弁１０６の調整により捕獲剤供給タンク１０２からの捕獲剤（液剤）５０を捕獲剤浸透ガイド１４０を介してガス除去フィルタ３３のフィルタ基材５１に補給する。
このとき、捕獲剤浸透ガイド１４０は拡開部１４１から各垂下部１４２、分岐部１４３を介してガス除去フィルタ３３のフィルタ基材５１の略全域に液剤５０を略均等に分配することから、ガス除去フィルタ３３のフィルタ基材５１には液剤５０が略均一に補給される。
尚、本実施の形態では、捕獲剤浸透ガイド１４０はガス除去フィルタ３３のフィルタ基材５１の片面に設けたものであるが、両面に設けることも可能である。また、フィルタ基材５１への液剤５０の浸透度合をより均一にするために、例えば図９(ｃ)に示すように、フィルタ基材５１をメッシュ型５１ｅに構成するようにしてもよい。
【００３８】
◎実施の形態４
図１０(ａ)は本発明が適用された空気清浄装置の実施の形態４の要部を示す説明図である。
同図において、ガス除去フィルタ３３の捕獲剤供給装置１０１は、実施の形態２と略同様に、捕獲剤分割供給機構１２０と分割供給された液状捕獲剤（液剤）５０を一時的に貯蔵する捕獲剤貯蔵タンク１３０とを備えているが、捕獲剤分割供給機構１２０が実施の形態２と異なるものになっている。
本実施の形態において、捕獲剤分割供給機構１２０は、夫々液状捕獲剤が供給可能な複数の供給カートリッジ１５０（具体的には１５０ａ〜１５０ｄ）を有し、各供給カートリッジ１５０を捕獲剤貯蔵タンク１３０の頂部に設けたものである。
また、捕獲剤貯蔵タンク１３０は、図１０(ｂ)に示すように、液剤５０を貯蔵すると共に、ガス除去フィルタ３３のフィルタ基材５１の上縁部略全域を液剤５０に浸透させた状態でフィルタ基材５１を保持するようになっている。
【００３９】
ここで、ガス除去フィルタ３３の保持構造としては、図１０(ｃ)に示すように、捕獲剤貯蔵タンク１３０を複数のタンクパーツ１３１，１３２に分離可能に構成し、これらのタンクパーツ１３１，１３２を締結具１３３にて締結すると共に、これらのタンクパーツ１３１，１３２間にガス除去フィルタ３３のフィルタ基材３３の上縁部を密に挟持するようにしたものが挙げられる。尚、複数のタンクパーツ１３１，１３２に分離しないで、例えば図１０(ｄ)に示すように、タンクケース１３４の一部にフィルタ基材５１挿入用のスリット１３５を開設し、このスリット１３５に挿入されたフィルタ基材５１の上縁部を板バネ１３６等で密に挟持するようにしてもよいし、また、図１０(ｃ)では、捕獲剤貯蔵タンク１３０の下部にガス除去フィルタ３３の保持部を確保するようにしているが、図１０(ｅ)に示すように、捕獲剤貯蔵タンク１３０の側部にガス除去フィルタ３３の保持部を確保するようにしても差し支えない。
【００４０】
また、本実施の形態において、各供給カートリッジ１５０は定期的に液状捕獲剤（液剤）５０を供給するものである。
ここで、供給カートリッジ１５０の開放構造としては、図１１(ａ)に示すように、各供給カートリッジ１５０に予め液状捕獲剤（液剤）５０を充填しておき、各供給カートリッジ１５０の連通口部１５３内には雌ねじ部１５４を設けると共に、連通口部１５３に密閉シール１５５を設ける一方、捕獲剤貯蔵タンク１３０側には各供給カートリッジ１５０の連通口部１５３に螺合可能な連通ボス部１３７を設け、この連通ボス部１３７の周囲には雄ねじ部１３８を設けると共に、この連通ボス部１３７の一部には密閉シール１５５破砕用の破砕爪１３９を設けるようにしたものもある。
この態様によれは、供給カートリッジ１５０内の液剤５０を供給するには、対応する供給カートリッジ１５０を対応する連通ボス部１３７に螺合させるようにすればよく、螺合動作に伴って供給カートリッジ１５０の密閉シール１５５が破砕爪１３９にて破砕されると共に、供給カートリッジ１５０が捕獲剤貯蔵タンク１３０に連通接続される。このため、供給カートリッジ１５０内の液剤５０が捕獲剤貯蔵タンク１３０内に吐出され、捕獲剤貯蔵タンク１３０に吐出された液剤５０がガス除去フィルタ３３のフィルタ基材５１に順次略均一に浸透していく。
【００４１】
更に、供給カートリッジ１５０の開放構造の別の態様としては、図１１(ｂ)に示すように、供給カートリッジ１５０の連通口部１５３を当初塞いでおき、所定期間が経過した時点で穿孔動作する穿孔具１５６（例えば電磁ソレノイド等のアクチュエータ１５７にて動作）にて前記供給カートリッジ１５０の連通口部１５３を開放するようにしたものが挙げられる。
本態様によれば、捕獲剤貯蔵タンク１３０に各供給カートリッジ１５０を予め組み付けておけば、所定期間経過毎に穿孔具１５６による穿孔動作により各供給カートリッジ１５０から液状捕獲剤（液剤）５０が捕獲剤貯蔵タンク１３０に定期供給され、捕獲剤貯蔵タンク１３０に吐出された液剤５０がガス除去フィルタ３３のフィルタ基材５１に順次略均一に浸透していく。
【００４２】
尚、上記実施の形態では、複数の供給カートリッジ１５０（１５０ａ〜１５０ｄ）を備えた態様が示されているが、これに限られるものではなく、例えば図１２(ａ)に示すように、例えば一つの供給カートリッジ１６０を複数の供給室１６１に分け、供給室１６１毎に捕獲剤を供給可能に構成してもよい。
この場合において、供給カートリッジ１６０としては全ての供給室１６１内の液剤が使用された段階で交換するようにしてもよいが、例えば図１２(ｂ)(ｃ)に示すように、供給カートリッジ１６０として、複数のカートリッジ容器１６２が固定配置される固定型とし、詰め替え可能な詰め替えパック１６３にて液状捕獲剤（液剤）５０を必要に応じてカートリッジ容器１６２に充填するようにしてもよい。
この態様において、詰め替えパック１６３による詰め替え方法としては、図１２(ｃ)に示すように、カートリッジ容器１６２に開設される注入口１６４から詰め替えパック１６３内の液状捕獲剤５０を注入するようにすればよい。
【００４３】
◎実施の形態５
図１３は本発明が適用された空気清浄装置の実施の形態５の要部を示す。
同図において、空気清浄装置の基本的構成は実施の形態１と略同様であるが、上述した実施の形態と異なり、空気流通路２１に沿って略平行にガス除去フィルタ３３を配設したものになっている。
特に、本実施の形態では、ガス除去フィルタ３３は複数列（本例では４列）のシート状フィルタを所定間隔毎に配設したものであり、これらのガス除去フィルタ３３間に空気流通路２１が確保される一方、ガス除去フィルタ３３の上部に捕獲剤供給装置１０１が設けられ、また、ガス除去フィルタ３３の下部に捕獲剤５０の排出装置１１２が設けられている。尚、本例では、捕獲剤供給装置１０１は捕獲剤が一時的に貯蔵される捕獲剤貯蔵タンク１３０を備えた態様であるが、必ずしもこれに限られるものではなく適宜設計変更して差し支えない。
本実施の形態によれば、ガス除去フィルタ３３が空気流通路２１に対して直交配置されておらず、空気流通路２１に沿って略平行に配置されているため、通気抵抗が少なく抑えられるほか、複数列のガス除去フィルタ３３を用いることにより実質的なフィルタ通気面積を拡大することが可能である。
【００４４】
◎実施の形態６
図１４(ａ)(ｂ)は本発明が適用された空気清浄装置の実施の形態６の要部を示す。
同図において、ガス除去フィルタ３３は、上述した実施の形態と異なり、駆動モータ１７１にて回転可能で且つ液状捕獲剤が浸透可能なロール部材１７０にて構成されており、このガス除去フィルタ３３の上部には液剤（捕獲剤）供給装置１０１が配設されている。
ここで、このガス除去フィルタ３３は空気流通路に対して略直交配置されていてもよいし、略平行配置されていてもよいが、ロール部材１７０の構成として通気抵抗を低減する構成を採用することが好ましい。
本実施の形態によれば、ガス除去フィルタ３３はロール部材１７０を回転動作させる態様であるから、液剤供給装置１０１から供給される液剤５０は回転するガス除去フィルタ３３に順次浸透していき、ガス除去フィルタ３３には液剤５０が略均一に供給される。
尚、本実施の形態において、ガス除去フィルタ３３は一つのロール部材１７０にて構成されているが、これに限られるものではなく、例えば図１４(ｃ)に示すように、複数のロール部材１７０（例えば１７０ａ〜１７０ｃ）を接触転動可能に直線的に配列するようにしたり、あるいは、図１４(ｄ)に示すように、複数のロール部材１７０（例えば１７０ａ〜１７０ｄ）を接触転動可能にジグザク状に配列するようにしてもよい。
【００４５】
◎実施の形態７
図１５(ａ）(ｂ）は本発明に関連する関連発明が適用された空気清浄装置の実施の形態７の要部を示す。
同図において、空気清浄装置の基本的構成は、空気流通路２１には入口側から順に塵埃除去用の粒子除去フィルタ３２、ホルムアルデヒド等のＶＯＣ除去用のガス除去フィルタ３３及びガス除去フィルタ３３からの生成物除去用の補助フィルタ３４を配設したものである。
特に、本実施の形態では、ガス除去フィルタ３３は粒子除去フィルタ３２及び補助フィルタ３４間にガス捕獲剤が収納可能な収納空間部５２を有し、この収納空間部５２には顆粒状捕獲剤（顆粒剤）５０を収納可能に保持するようになっている。尚、ガス除去フィルタ３３の収納空間部５２については、前後のフィルタ３２，３４を用いずにガス除去フィルタ３３の構成要素を用いて確保するようにしてもよい。但し、この態様においては、ガス除去フィルタ３３の通気抵抗が不必要に嵩まないように収納空間部５２を区画する構成要素を工夫することが好ましい。
この顆粒状捕獲剤（顆粒剤）５０としては、ホルムアルデヒド等のＶＯＣが捕獲可能な吸着剤を用い、流動性の良い顆粒として構成したものが挙げられる。ここで、顆粒形状としては、球形、円柱形、破砕形など適宜選定して差し支えなく、具体例としては、例えばグラフト重合薬剤のほか、活性炭などの多孔質剤、化学吸着剤や化学吸収剤を添着した多孔質剤などを用いた顆粒剤がある。尚、本態様では、捕獲剤５０として顆粒剤を用いているが、顆粒よりも小径の流動性の良い粉体を用いてもよいことは勿論である。また、この顆粒状捕獲剤（顆粒剤）５０として例えば使用履歴に応じて色変化するように構成すれば、捕獲剤５０の使用履歴を目視確認できる点でユーザーが捕獲剤５０の交換時期を容易に認識することができる上で好ましい。
【００４６】
更に、ガス除去フィルタ３３には捕獲剤調整装置１００が付設されており、この捕獲剤調整装置１００は、ガス除去フィルタ３３の上部に設けられて捕獲剤５０を補給する捕獲剤供給装置１０１と、ガス除去フィルタ３３の下部に設けられて収納空間部５２からの古い捕獲剤５０を排出する排出装置１１２とを備えている。
そして、捕獲剤供給装置１０１は、捕獲剤５０が収納される捕獲剤供給タンク１８０と、この捕獲剤供給タンク１８０とガス除去フィルタ３３の収納空間部５２との間を連結する入口連結配管１８１と、この入口連結配管１８１の一部に設けられる入口開閉バルブ１８２とを備えている。
一方、排出装置１１２は、不要になった捕獲剤５０を廃棄する廃棄タンク１９０と、この廃棄タンク１９０とガス除去フィルタ３３の収納空間部５２との間を連結する出口連結配管１９１と、この出口連結配管１９１の一部に設けられる出口開閉バルブ１９２とを備えている。
【００４７】
特に、入口開閉バルブ１８２、出口開閉バルブ１９２は制御装置２００（図１６(ａ)参照）からの制御信号に基づいて開閉動作するようになっている。つまり、入口開閉バルブ１８２は、図１５(ａ）に示す空状態から図１５(ｂ）に示す満杯状態に至るように、ガス除去フィルタ３３の収納空間部５２に捕獲剤供給タンク１８０内の捕獲剤５０を充填するように開放動作する一方、出口開閉バルブ１９２は、ガス除去フィルタ３３の収納空間部５２内の捕獲剤５０に交換の必要性が生じた場合に開放動作し、廃棄タンク１９０に古い捕獲剤５０全部を廃棄するようになっている。
ここで、入口開閉バルブ１８２、出口開閉バルブ１９２の構成例について説明すると以下のようである。
【００４８】
図１６(ａ)(ｂ)に示すように、入口開閉バルブ１８２，出口開閉バルブ１９２は、例えばスライドガイド２０１に沿って進退するシャッタ２０２を有し、このシャッタ２０２を電磁ソレノイド等のアクチュエータ２０３にて駆動可能に連結し、シャッタ２０２を進退動させることによりバルブ開口２０４を開閉するものである。
また、ガス除去フィルタ３３の収納空間部５２の下部近傍には空検知センサ２０５が配置されている。この空検知センサ２０５は、例えば図１６(ｃ)に示すように、ガス除去フィルタ３３の収納空間部５２内に捕獲剤５０が収納されている状況下でスイッチ接片２０６をオン動作させ、前記収納空間部５２内の捕獲剤５０が空状態に至った段階でスイッチ接片２０６をオフ動作させるものである。
【００４９】
次に、本実施の形態に係る空気清浄装置の作動について説明する。
今、図１５(ｂ)に示すように、ガス除去フィルタ３３の収納空間部５２に顆粒状捕獲剤（顆粒剤）５０が充填されているとすると、図示外の送風ファンにて汚染空気（清浄対象空気）Airが空気流通路２１内を通過する場合、汚染空気Airのうち粒子成分が粒子除去フィルタ３２にて除去され、更に、ホルムアルデヒド等のガス状化学物質がガス除去フィルタ３３にて除去され、最後に、ガス除去フィルタ３３からの生成物（放電生成物や付着した飛散物）が補助フィルタ３４にて除去される。
特に、本実施の形態においては、制御装置２００は、図１６(ａ)に示すように、前回の捕獲剤補給日時情報を記録しておき、前回の捕獲剤補給日時から所定期間経過後に交換制御信号を送出し、出口開閉バルブ１９２を開放作動させる。
すると、ガス除去フィルタ３３の収納空間部５２に収納されていた古い顆粒状捕獲剤（顆粒剤）５０は開放されたバルブ開口を通じて廃棄タンク１９０に落下し、廃棄される。
そして、収納空間部５２内の捕獲剤５０が空になると、空検知センサ２０５による捕獲剤５０の空検知状態が制御装置２００に通知され、この検知信号に基づいて制御装置２００は出口開閉バルブ１９２を閉鎖した後入口開閉バルブ１８２を所定時間開放する。この状態において、捕獲剤供給タンク１８０内の新しい捕獲剤５０が収納空間部５２に補給され、捕獲剤５０の補給が完了した時点で捕獲剤５０の交換が終了する。
【００５０】
尚、本実施の形態において、入口開閉バルブ１８２、出口開閉バルブ１９２の構成については例えば図１６むに示す態様に限られるむものではなく適宜設計変更して差し支えない。
例えば図１７(ａ)(ｂ)に示すように、入口開閉バルブ１８２（又は出口開閉バルブ１９２）として、駆動モータ２１０にて回動する円板状シャッタ２１１の一部に連通開口２１２を設け、開放時には円板状シャッタ２１１の連通開口２１２を通じてガス除去フィルタ３３の収納空間部５２の入口開口（又は出口開口）を開放するようにしたものが挙げられる。また、別の態様としては、図１８(ａ)(ｂ)に示すように、スライドガイド２０１に沿って進退するシャッタ２０２を有し、このシャッタ２０２を駆動モータ２１５及びリンクアーム２１６からなるアクチュエータ２１４にて駆動可能に連結し、シャッタ２０２を進退動させることによりバルブ開口２０４を開閉するようにしてもよい。更に、図１８(ｃ)に示すように、シャッタ機構２１７として絞り機構２１８からなる開閉構造を用いるようにしてもよい。
【００５１】
◎実施の形態８
図１９は本発明に関連する関連発明が適用された空気清浄装置の実施の形態８の要部を示す。
同図において、空気清浄装置の基本的構成は、実施の形態７と略同様であるが、捕獲剤調整装置１００のうち顆粒状捕獲剤（顆粒剤）５０を供給する捕獲剤供給装置１０１が実施の形態７と異なる構成になっている。尚、実施の形態７と同様な構成要素については実施の形態７と同様な符号付してここではその詳細な説明を省略する。
本実施の形態において、捕獲剤供給装置１０１は捕獲剤５０が供給可能に収容される捕獲剤供給タンク１８０を有しているが、この捕獲剤供給タンク１８０は複数のタンク室１８４（例えば１８４ａ〜１８４ｃ）に分割されると共に、駆動アクチュエータ１８５にてシフト移動するようになっており、捕獲剤供給タンク１８０の各タンク室１８４がガス除去フィルタ３３の収納空間部５２に対する補給位置に間欠的に順次設定されるようになっている。
そして、本例では、制御装置２００は、捕獲剤５０の交換タイミングに応じて入口開閉バルブ１８２、出口開閉バルブ１９２等の開閉制御を行うと共に、前記駆動アクチュエータ１８５による捕獲剤供給タンク１８０の移動制御を行うようになっている。
【００５２】
本実施の形態によれば、捕獲剤供給タンク１８０の各タンク室１８４の容量若しくは捕獲剤収容量を予めガス除去フィルタ３３の収納空間部５２容量に合わせておけば、捕獲剤供給タンク１８０の定期的移動に伴って捕獲剤供給タンク１８０の各タンク室１８４が順次ガス除去フィルタ３３の収納空間部５２に対応した補給位置Ａに到達し、補給位置Ａに位置するタンク室１８４（図１９では１８４ｂ）の捕獲剤５０がガス除去フィルタ３３の収納空間部５２に落下収納される。
尚、ガス除去フィルタ３３の収納空間部５２に古い捕獲剤５０が収納されている状況では、当該古い捕獲剤５０は排出装置１１２の廃棄タンク１９０に廃棄される。
このように、ガス除去フィルタ３３の収納空間部５２には定期的に捕獲剤５０が交換されることから、ガス除去フィルタ３３のガス除去性能は捕獲剤供給タンク１８０の捕獲剤５０の全体容量に対応した分だけ常時良好に保たれる。
【００５３】
◎実施の形態９
図２０(ａ）は本発明に関連する関連発明が適用された空気清浄装置の実施の形態９の要部を示す。
同図において、空気清浄装置の基本的構成は、実施の形態７，８と同様に、ガス除去フィルタ３３に対して捕獲剤調整装置１００を付加し、顆粒状捕獲剤（顆粒剤）５０を用いた態様であるが、捕獲剤調整装置１００の構成が実施の形態７，８と異なるものである。
本実施の形態で用いられる捕獲剤調整装置１００は、ガス除去フィルタ３３の収納空間部５２の下部に捕獲剤供給装置１０１を設けると共に、前記収納空間部５２の上部に排出装置１１２を設けたものである。
本例では、捕獲剤供給装置１０１は収納空間部５２の下部に連通接続される捕獲剤供給タンク２２０を有し、この捕獲剤供給タンク２２０の底壁を上下動自在な昇降板２２１として構成し、この昇降板２２１をリフタ２２２にて昇降自在に支持すると共に、駆動モータ２２３にて前記リフタ２２２を昇降動させるようにしたものである。
一方、排出装置１１２は収納空間部５２の上部に連通接続される廃棄タンク２２５を有する。
【００５４】
そして、本実施の形態では、捕獲剤供給タンク２２０にはガス除去フィルタ３３の想定寿命（例えば一年）に対応する捕獲剤５０が予め収容されており、図示外の制御装置は捕獲剤５０の交換期間に応じた定期期間毎に駆動モータ２２３を介してリフタ２２２を所定量上昇させる。
すると、捕獲剤供給タンク２２０内の捕獲剤５０が昇降板２２１にて上方に押し上げられ、ガス除去フィルタ３３の収納空間部５２内に押し上げられて充填される。このとき、ガス除去フィルタ３３の収納空間部５２内に収納されていた古い捕獲剤５０は新しい捕獲剤５０の押上動作に伴って上方に押し上げられ、廃棄タンク２２５側に押上げ廃棄される。このため、ガス除去フィルタ３３の収納空間部５２には新しい捕獲剤５０が交換収納されることになり、ガス除去フィルタ３３のガス除去性能は良好に保たれる。
【００５５】
また、本実施の形態では、捕獲剤供給タンク２２０は一つのタンク容器にて構成されているが、これに限られるものではなく、例えば図２０(ｂ)に示すように、捕獲剤供給タンク２２０を順次シフト移動可能な複数の分割タンクパック２２６（例えば２２６ａ〜２２６ｄ）として構成すると共に、この分割タンクパック２２６の上下端を破砕自在な密閉シール（図示外）で塞ぐ一方、ガス除去フィルタ３３の収納空間部５２の下部開口には開閉シャッタ２２７を設け、この開閉シャッタ２２７に対応するガス除去フィルタ３３の補給口の下方には分割タンクパック２２６内の捕獲剤持上げ用のリフタ２２８を駆動モータ２２９にて昇降自在に設けるようにしてもよい。
本態様によれば、図示外の制御装置は所定の交換期間に達すると所定の交換制御信号を送出し、開閉シャッタ２２７を開放した後、ガス除去フィルタ３３の補給口に未使用の分割タンクパック２２６をシフト移動させると共に、リフタ２２８を上昇させることにより分割タンクパック２２６内の捕獲剤５０をガス除去フィルタ３３の収納空間部５２に押し出し充填する。尚、収納空間部５２内の古い捕獲剤５０は新しい捕獲剤５０の充填動作に伴って廃棄タンク２２５側に押し出し廃棄される。
尚、分割タンクバック２２６は内蔵した捕獲剤５０を押し出し充填する構造になっているが、これに限られるものではなく、分割タンクパック２２６毎にガス除去フィルタ３３の収納空間部５２に収納し、分割タンクパック２２６毎廃棄するようにしてもよい。
【００５６】
◎実施の形態１０
図２１は本発明に関連する関連発明が適用された空気清浄装置の実施の形態１０の要部を示す。
同図において、空気清浄装置の基本的構成は、空気流通路２１の上流側から順に粒子除去フィルタ３２、ガス除去フィルタ３３及び補助フィルタ３４を配列し、ガス除去フィルタ３３に捕獲剤調整装置１００を付加したものである。
本実施の形態において、ガス除去フィルタ３３は移動自在なウェブ状フィルタ基材２３０を有する。このフィルタ基材２３０は捕獲剤が含まれる捕獲剤層２３２をベース基材２３１上に積層したもので、捕獲剤層２３２の上に離型剤層２３３を形成したものである。
【００５７】
また、捕獲剤調整装置１００は、ウェブ状ガス除去フィルタ３３の一端側を巻き戻しロール２４０に巻き戻し自在に巻き付け、前記他端側を巻き取りロール２４１に巻き取り可能に係止させたものであり、巻き取りロール２４１の巻き取り動作に連動してウェブ状ガス除去フィルタ３３を順次移動させるようにしたものである。
ここで、制御装置２００は所定の移動タイミング毎に駆動モータ２４２を駆動させ、巻き取りロール２４１を所定量回転させることによりウェブ状ガス除去フィルタ３３を巻き取り移動させるものである。本例では、この場合、ウェブ状除去フィルタ３３が空気流通路２１を対して略直交配置されているが、巻き取りロール２４１の回転量はウェブ状ガス除去フィルタ３３が空気流通路２１の略通路面積分だけ移動する程度に設定されている。
【００５８】
更に、本実施の形態では、捕獲剤調整装置１００は、ウェブ状ガス除去フィルタ３３の未使用捕獲剤が劣化せずに保管可能な未使用捕獲剤保管器２５０を備えている。この未使用捕獲剤保管器２５０は、図２１及び図２２(ａ)に示すように、巻き戻しロール２４０が収納される巻き戻しホルダ２５１を有し、この巻き戻しホルダ２５１にはウェブ状ガス除去フィルタ３３が巻き戻し可能に引き出される引出口２５２を形成すると共に、この引出口２５２とウェブ状ガス除去フィルタ３３との間を弾性シール材（シール部材）２５３にて密封するようにしたものである。但し、この弾性シール材２５３はウェブ状除去フィルタ３３に弾性接触するが、その弾性接触の程度はウェブ状除去フィルタ３３が弾性シール材２５３との間で摺動自在であることを要する。
【００５９】
特に、本実施の形態では、巻き戻しホルダ２５１は樹脂製素材にて一体的に成形されたものであり、引出口２５２を挟んだ一方のホルダ壁２５１ａを弾性変形可能に且つ引出口２５２を塞ぐ方向Ｆに付勢するようにしたものである。また、弾性シール材２５３としては、少なくとも引出口２５２縁部とウェブ状ガス除去フィルタ３３との間の隙間を弾性的に充填するものであればよい。
一方、巻き取りロール２４１側には使用済捕獲剤保管器２６０が設けられている。この使用済捕獲剤保管器２６０は、図２１に示すように、巻き取りロール２４１が収納される巻き取りホルダ２６１を有し、この巻き取りホルダ２６１にはウェブ状ガス除去フィルタ３３が巻き取り可能に巻き取られる回収口２６２を形成するものである。尚、この回収口２６２とウェブ状ガス除去フィルタ３３との間には特にシール部材を設ける必要はなく、隙間が残ったままである。
【００６０】
次に、本実施の形態に係る空気清浄装置の作動について説明する。
空気流通路２１中の汚染空気（清浄対象空気）Airは、図２１に示すように、粒子除去フィルタ３２，ガス除去フィルタ３３及び補助フィルタ３４の順に通過する。この間、粒子成分が粒子除去フィルタ３２にて除去され、ガス状化学物質がガス除去フィルタ３３にて除去され、更に、ガス除去フィルタ３３での生成物が補助フィルタ３４にて除去される。
そして、ガス除去フィルタ３３に保持されている捕獲剤５０にガス状化学物質が捕獲され続けると、次第にガス除去フィルタ３３によるガス除去性能が低下し始める。このため、本実施の形態では、制御装置２００が所定の交換タイミングに応じて所定の交換制御信号を送出し、ウェブ状ガス除去フィルタ３３を所定量移動させ、空気流通路２１の通風面積内での捕獲剤５０を新しい捕獲剤に交換する。これにより、ガス除去フィルタ３３によるガス除去性能は良好に保たれる。
【００６１】
また、本実施の形態では、未使用捕獲剤保管器２５０は巻き戻しホルダ２５１内に位置するウェブ状ガス除去フィルタ３３を弾性シール材２５３にて密封し、汚染空気との接触を回避するようにしているため、巻き戻しホルダ２５１内のガス除去フィルタ３３が未使用時に汚染空気中のガス状化学物質を吸着するという事態は有効に回避される。
特に、未使用捕獲剤の保管性能をより良好に保つという観点からすれば、弾性シール材２５３に捕獲剤５０と同等な捕獲剤を含ませるようにしておくことが好ましい。この場合、汚染空気の一部が巻き戻しホルダ２５１の引出口２５２と弾性シール材２５３との間から内部に入り込もうとしても、当該弾性シール材２５３部分で汚染空気に含まれるガス状化学物質が吸着保持されるため、巻き戻しホルダ２５１内での未使用捕獲剤が使用前にて吸着反応等して不必要に劣化するという事態は有効に回避される。
尚、本実施の形態では、ウェブ状ガス除去フィルタ３３の上流側に粒子除去フィルタ３２を設けているが、ウェブ状ガス除去フィルタ３３は捕獲剤５０を移動交換するようになっているため、粒子除去フィルタ３３を用いずにウェブ状ガス除去フィルタ３３で粒子除去フィルタを兼用するようにしても差し支えない。この場合、ウェブ状ガス除去フィルタ３３としては、粒子除去可能なメッシュ構成や、粒子除去に対して物理吸着性や電気吸着性を有する構成にすることが好ましい。
【００６２】
また、未使用捕獲剤保管器２５０としては、図２２(ａ）に示す態様に限られるものではなく、図２２(ｂ）〜(ｄ)に示すように適宜選定して差し支えない。
例えば図２２(ｂ)に示すように、巻き戻しホルダ２５１の一部に引出口２５２を開設し、この巻き戻しホルダ２５１の外側に板バネからなる弾性押圧板２５５を止め具２５６にて片持ち支持すると共に、Ｆで示す方向に付勢される弾性押圧板２５５の自由端側で引出口２５２から引き出されたウェブ状ガス除去フィルタ３３を引出口２５２縁部にて弾性挟持するようにした態様が挙げられる。
本態様では、ウェブ状ガス除去フィルタ３３は弾性押圧板２５５により引出口２５２縁部に挟持されることから、この挟持部が実質的にシール機能を発揮することになり、ウェブ状ガス除去フィルタ３３の未使用捕獲剤５０が使用前に吸着反応等して不必要に劣化することは回避される。
尚、弾性押圧板２５５に代えて、図２２(ｃ)に示すように、巻き戻しホルダ２５１の引出口２５２を開閉する蓋板２５７を付勢バネ２５８にて付勢し、この付勢された蓋板２５７にて引出口２５２から引き出されたウェブ状ガス除去フィルタ３３を引出口２５２縁部で挟持するようにしてもよい。
【００６３】
更に、未使用捕獲剤保管器２５０の別の態様としては、図２２(ｄ）に示すように、巻き戻しホルダ２５１内に捕獲剤５０と同等の補助捕獲剤２５９を適宜数設置するようにした態様が挙げられる。
本態様によれば、巻き戻しホルダ２５１の引出口２５２から巻き戻しホルダ２５１内に汚染空気が浸入したとしても、この汚染空気に含まれるガス状化学物質は補助捕獲剤２５９にて吸着等の作用にて有効に捕獲される。このため、ウェブ状ガス除去フィルタ３３の未使用捕獲剤５０が使用前に吸着反応等して不必要に劣化することはない。
尚、本態様では、巻き戻しホルダ２５１の引出口２５２に対してシール構造（弾性シール材を使用したり、引出口縁部での挟持構造など）を施していないが、図２２(ａ)〜(ｃ）に示すようなシール構造を併せて用いるようにしても差し支えない。
【００６４】
また、本実施の形態では、ウェブ状ガス除去フィルタ３３は、図２３(ａ)に示すように、単一列で構成されているが、これに限られるものではなく、例えば図２３(ｂ）に示すように、巻き戻しロール２４０及び巻き取りロール２４１の他に適宜数（例えば３つ）の張架ロール２４３を用い、ウェブ状ガス除去フィルタ３３を折り返し部２４４を介して複数段に折り返し配置するようにしてもよいし、あるいは、図２３(ｃ)に示すように、複数列（複数段）のウェブ状ガス除去フィルタ３３（例えば３３ａ，３３ｂ）を用いるようにしてもよい。
ここで、図２３(ｂ）(ｃ)に示すように、複数段のウェブ状ガス除去フィルタ３３を用いる態様にあっては、複数種の捕獲剤を区分保持させることにより、複数種のガス状化学物質を効果的に除去することが可能である。
更に、ウェブ状ガス除去フィルタ３３のレイアウトとしては、図２１に示すように、空気流通路２１の空気進行方向に対して略直交配置する態様が示されているが、これに限られるものではなく、例えば図２４(ａ)に示すように、空気流通路２１の空気進行方向に対してウェブ状ガス除去フィルタ３３を略閉講配置するようにしてもよいし、あるいは、図２４(ｂ)に示すように、例えば複数列のウェブ状ガス除去フィルタ３３（例えば３３ａ，３３ｂ）を用いるが、部品点数の低減という観点から巻き取りロール２４１を兼用するようにしても差し支えない。
【００６５】
◎実施の形態１１
図２５は本発明に関連する関連発明が適用された空気清浄装置の実施の形態１１の要部を示す。
同図において、空気清浄装置の基本的構成は、実施の形態１と略同様に、空気流通路２１の入口側から順にプレフィルタ３１、粒子除去フィルタ３２、ガス除去フィルタ３３及び補助フィルタ３４を設け、プレフィルタ３１と粒子除去フィルタ３２との間に送風ファン４０を配設したものであるが、ガス除去フィルタ３３に付設される捕獲剤調整装置１００が実施の形態１〜１０と異なる態様のものである。尚、実施の形態１と同様な構成要素については実施の形態１と同様な符号を付してここではその詳細な説明を省略する。
本実施の形態において、ガス除去フィルタ３３は、実施の形態１と同様に、液状捕獲剤（液剤）５０が浸透可能なフィルタ基材５１を有するものであるが、このガス除去フィルタ３３と粒子除去フィルタ３２との間には霧状捕獲剤が充満する噴霧室４１が確保されている。
【００６６】
また、捕獲剤調整装置１００は、ガス除去フィルタ３３に液状捕獲剤（液剤）５０を霧状捕獲剤として供給する捕獲剤供給装置２７０と、ガス除去フィルタ３３内の余剰捕獲剤を排出する排出装置２８０とを備えている。
本実施の形態において、捕獲剤供給装置２７０は、図２５及び図２６(ａ)(ｂ)に示すように、液状捕獲剤（液剤）５０が貯蔵される捕獲剤供給タンク２７１と、噴霧室４１内にてガス除去フィルタ３３に対向して略均等に配置されるスプレーマルチノズル２７２と、捕獲剤供給タンク２７１とスプレーマルチノズル２７２との間を連通接続する連通配管２７３と、この連通配管２７３の一部に設けられて所定圧にて液状捕獲剤５０をスプレーマルチノズル２７２に送出するポンプ２７４とを備えたものである。尚、図２６(ａ)中、符号２７５は流量調整装置、２７６は流量調整装置２７５にて調整された液剤を捕獲剤供給タンク２７１に戻すための戻り配管、２７７は捕獲剤供給タンク２７１に液剤が残っているか否かを検知する残量センサである。
一方、排出装置２８０はガス除去フィルタ３３の下部に廃液タンク２８１をドレン配管２８２を介して連通接続したものであり、ガス除去フィルタ３３内の余剰な液剤が廃液として廃棄されるようになっている。
【００６７】
次に、本実施の形態に係る空気清浄装置の作動について説明する。
空気流通路２１中の汚染空気（清浄対象空気）Airは、図２５に示すように、プレフィルタ３１、粒子除去フィルタ３２，ガス除去フィルタ３３及び補助フィルタ３４の順に通過する。この間、粒子成分がプレフィルタ３１及び粒子除去フィルタ３２にて除去され、ガス状化学物質がガス除去フィルタ３３にて除去され、更に、ガス除去フィルタ３３での生成物が補助フィルタ３４にて除去される。
ここで、図示外の制御装置は、交換タイミングを規定する時間情報、ガス除去フィルタ３３内の液剤の濃度情報や色情報に基づいて所定の交換制御信号を送出し、ポンプ２７４及び流量調整装置２７５を駆動し、スプレーマルチノズル２７２を通じて噴霧室４１に霧状捕獲剤を略均一に散布し、ガス除去フィルタ３３のフィルタ基材５１の略全域に霧状捕獲剤を略均一に浸透させる。尚、残量センサ２７７が液剤が空であることを検知すると、図示外の制御装置は捕獲剤供給タンク２７１へ液剤補給を警告する。
この結果、ガス除去フィルタ３３には液剤が定期的若しくは不足傾向になると略均一に補給されることになり、その分、ガス除去フィルタ３３の液剤の浸透状態は長期に亘って安定し、ガス除去フィルタ３３によるガス除去性能は良好に保たれる。
【００６８】
本実施の形態では、捕獲剤供給装置２７０はスプレーマルチノズル２７２にて片面のみ霧状捕獲剤を噴霧するものであるが、これに限られるものではなく、例えば図２６(ｃ)に示すように、複数のガス除去フィルタ３３（３３ａ，３３ｂ）に対し両面から霧状捕獲剤を噴霧可能な両面スプレーマルチノズル２７２’を用いるようにしてもよいし、あるいは、図２６(ｄ)に示すように、顆粒状捕獲剤（顆粒剤）５０が保持可能なガス除去フィルタ３３に対して用いるようにしてもよい。
尚、本実施の形態では、ガス除去フィルタ３３の上流側に粒子除去フィルタ３２を設けているが、上流側の粒子除去フィルタ３２を用いずにガス除去フィルタ３３で粒子除去フィルタを兼用するようにしてもよい。このことは、後述する実施の形態１２〜１４についても同様である。
【００６９】
◎実施の形態１２
図２７(ａ)は本発明に関連する関連発明が適用された空気清浄装置の実施の形態１２の要部を示す。
同図において、ガス除去フィルタ３３にはスプレー方式の捕獲剤供給装置２７０が設けられているが、捕獲剤供給装置２７０の構成が実施の形態１１と異なる方式を採用している。
同図において、捕獲剤供給装置２７０は、液状捕獲剤５０が高圧Ｐ０にて収容される圧力缶２９０を有し、この圧力缶２９０には液状捕獲剤５０に連通浸漬する連通管２９１を設けると共に、この連通管２９１には押下動作に伴って開放するスプレーノズル２９２を設ける一方、このスプレーノズル２９２の上方には電磁ソレノイド等のアクチュエータ２９３を設け、このアクチュエータ２９３にてスプレーノズル２９２を押し下げ、霧状捕獲剤を噴霧可能としたものである。尚、制御装置２９４は、交換タイミングを規定する時間情報、ガス除去フィルタ３３内の液剤の濃度情報や色情報に基づいて所定の交換制御信号をアクチュエータ２９３に送出するようになっている。
【００７０】
本実施の形態によれば、制御装置２９４からの制御信号に応じてアクチュエータ２９３が駆動すると、圧力缶２９０のスプレーノズル２９２を押し下げて噴霧させる。この状態において、ガス除去フィルタ３３には圧力缶２９０から高圧の霧状捕獲剤５０’が広範囲に亘って噴霧されることから、ガス除去フィルタ３３には略均一に霧状捕獲剤５０’が浸透していく。
尚、本実施の形態では、スプレーノズル２９２の駆動方式として電磁ソレノイド等のアクチュエータ２９３が用いられているが、これに限られるものではなく、駆動モータ２９５の回転により偏心カム２９６を回転させ、この偏心カム２９６の偏心量を利用してスプレーノズル２９２を押し下げるようにする等適宜選択して差し支えない。
【００７１】
また、本実施の形態において、この種のスプレー方式を採用する場合、ガス除去フィルタ３３としては霧状捕獲剤５０’が浸透可能なフィルタ基材５１を備えたものが用いられているが、これに限定されるものではなく、例えば図２８(ａ)に示すように、霧状捕獲剤５０’が含浸可能な顆粒３００をガス除去フィルタ３３に保持させておき、この顆粒３００に霧状捕獲剤５０’を含浸させるようにしてもよい。
更に、圧力缶２９０としては単一のものではよいが、例えば図２８（ｂ）に示すように、複数の圧力缶２９０（２９０ａ〜２９０ｄ）を用意し、各圧力缶２９０に対して夫々スプレーノズル２９２を設けると共に、これを駆動するアクチュエータ２９３を設け、複数の圧力缶２９０にて霧状捕獲剤をマルチ噴射させるようにしてもよい。
【００７２】
◎実施の形態１３
図２９(ａ)は本発明に関連する関連発明が適用された空気清浄装置の実施の形態１３の要部を示す。
同図において、ガス除去フィルタ３３はウェブ状のフィルタ基材を有し、一対の正逆回転可能な掛け渡しロール３０１、３０２間に往復動自在に掛け渡されている。そして、このガス除去フィルタ３３に対向する部位には、ガス除去フィルタの移動方向に直交する方向に延びる捕獲剤供給装置２７０が設けられている。この捕獲剤供給装置２７０としては液剤供給装置２７０ａ又は霧状捕獲剤を散布する散布装置２７０ｂが用いられ、ウェブ状ガス除去フィルタ３３に液状捕獲剤又は霧状捕獲剤が順次浸透するようになっている。
ここで、散布装置２７０ｂを例に挙げると、図２９(ｂ)(ｃ)に示すように、液状捕獲剤が高圧で収容されている圧力缶２９０を用い、この圧力缶２９０に連通する複数のスプレーノズル２９２（２９２ａ〜２９２ｃ）をガス除去フィルタ３３の移動方向と直交する方向に均等配設し、所定の噴射タイミングにてスプレーノズル２９２から霧状捕獲剤５０’を噴射させるようにしたものが挙げられる。
【００７３】
本実施の形態によれば、図示外の制御装置は、ウェブ状ガス除去フィルタ３３に保持されている捕獲剤が不足傾向になる時期タイミングにてウェブ状ガス除去フィルタ３３を所定方向に移動させる。このとき、捕獲剤供給装置２７０としての散布装置２７０ｂは移動するウェブ状ガス除去フィルタ３３に霧状捕獲剤５０’を所定幅毎に吹き付け、その移動に伴ってウェブ状ガス除去フィルタ３３の略全域に対して霧状捕獲剤５０’を浸透させるものである。
また、次の時期タイミングでは、ウェブ状ガス除去フィルタ３３を前回と逆方向に移動させ、例えば散布装置２７０ｂによる霧状捕獲剤の散布動作を行うようにすればよい。
尚、本実施の形態では、ウェブ状ガス除去フィルタ３３は往復動する態様であるが、これに限られるものではなく、図３０に示すように、ウェブ状ガス除去フィルタ３３を閉ループベルトとして構成し、一対の張架ロール３０３、３０４にウェブ状ガス除去フィルタ３３を掛け渡すと共に、例えば一方の張架ロール３０３を駆動ロールとすることによりウェブ状ガス除去フィルタ３３を循環回転させるようにしてもよい。
【００７４】
◎実施の形態１４
図３１は本発明に関連する関連発明が適用された空気清浄装置の実施の形態１４の要部を示す。
同図において、空気清浄装置はガス除去フィルタ３３を有すると共に、ガス除去フィルタ３３には捕獲剤調整装置１００を付加したものであるが、捕獲剤調整装置１００として各実施の形態と異なる捕獲剤供給装置２７０を備えている。
本実施の形態において、ガス除去フィルタ３３としては例えば霧状捕獲剤が浸透可能なフィルタ基材５１を固定的に設けたものが用いられる。
一方、捕獲剤供給装置２７０は、例えば霧状捕獲剤をガス除去フィルタ３３に散布する散布装置３１１と、この散布装置３１１による霧状捕獲剤の散布前にガス除去フィルタ３３面を清掃する清掃装置３１２と、両者をガイドレール３１４に沿って進退自在に支持し且つガス除去フィルタ３３面に沿って移動させる可動台３１３とを備えている。
ここで、清掃装置３１２としては、例えばガス除去フィルタ３３面を拭き取る清掃ワイパ３１２ａを支持部材３１２ｂを介して可動台３１３上に固定したものが用いられるが、適宜選定して差し支えない。
【００７５】
本実施の形態では、図示外の制御装置は、ガス除去フィルタ３３に保持される捕獲剤が不足傾向に到達したと判断すると所定の制御信号を送出し、捕獲剤供給装置２７０による捕獲剤の供給動作を行わせる。
本例では、捕獲剤供給装置２７０は、可動台３１３を適宜移動させながら散布装置３１１による霧状捕獲剤の散布動作を行うものであり、散布装置３１１による捕獲剤散布が行われる前に清掃装置３１２による清掃動作を伴うものである。このため、清掃装置３１２による清掃動作を行ったガス除去フィルタ３１２面に対し散布装置３１１による霧状捕獲剤の散布供給がなされるため、ガス除去フィルタ３３はそのフィルタ面の汚れが清掃装置３１２により常に清掃された状態で捕獲剤の補給が行われることになり、ガス除去フィルタ３３の捕獲剤保持状態が安定する。
尚、本実施の形態では、ガス除去フィルタ３３としては固定設置型のものが示されているが、これに限られるものではなく、例えばウェブ移動型のものを採用してもよく、この場合には、捕獲剤供給装置２７０としての散布装置３１１、清掃装置３１２を固定配置するようにすればよい。
【００７６】
◎実施の形態１５
図３２は本発明に関連する関連発明が適用された空気清浄装置の実施の形態１５の要部を示す。
同図において、空気清浄装置は、実施の形態１１〜１４と異なり、粒子除去フィルタ３２そのものをガス除去フィルタ３３として兼用するものであり、捕獲剤調整装置１００としては、取外し自在な粒子除去フィルタ３２を一旦取り外し、取り外した粒子除去フィルタ３２に対して有害なガス除去用の捕獲剤が補給可能な捕獲剤供給装置２７０を備えると共に、粒子除去フィルタ３２に保持される捕獲剤の保持状態がチェック可能な監視装置を備えている。
本実施の形態において、捕獲剤供給装置２７０としては、取り外したガス除去フィルタ３３兼用の粒子除去フィルタ３２に対して液状捕獲剤を供給可能な液剤供給装置２７０ａ又は霧状捕獲剤を供給可能な散布装置２７０ｂが用いられる。この場合において、液剤供給装置２７０ａ又は散布装置２７０ｂとしては、実施の形態１１〜１４に示すように、自動的に捕獲剤が供給可能な態様を用いてもよいが、手動にて捕獲剤が供給可能な態様（刷毛やロール等を用いた手動による液剤塗布装置や、液剤に粒子除去フィルタ３２を浸す液剤塗布装置、手動スプレー缶を用いた散布装置など）であってもよい。このように、液状捕獲剤や霧状捕獲剤が粒子除去フィルタ３２に保持されると、この粒子除去フィルタ３２は塵埃などの粒子を捕獲することに加えて、これらの捕獲剤によって有害なガスを効果的に捕獲する。
【００７７】
また、監視装置としては、ガス除去フィルタ３３兼用の粒子除去フィルタ３２の近傍に捕獲剤の保持状態チェック（濃度や色などをチェック）用の捕獲剤センサ２９８を設け、この捕獲剤センサ２９８からの検知情報を制御装置２９４に取り込み、この制御装置２９４にて捕獲剤センサ２９８からの検知情報が許容値未満になった場合に例えば警告表示部２９７に警告表示を発し、粒子除去フィルタ３２への捕獲剤の補給タイミングを告知するようにしたものや、あるいは、捕獲剤センサ２９８を用いずに制御装置２９４にて前回の捕獲剤補給時からの期間を管理し、所定期間経過した時点で警告表示部２９７に警告表示するようにしたものなど適宜選定することができる。
尚、本実施の形態では、粒子除去フィルタ３２は取外し自在なものが用いられているが、これに限られるものではなく、例えばウェブ状の移動型粒子除去フィルタ３２に対して、上述した捕獲剤供給装置２７０を用いて液状捕獲剤又は霧状捕獲剤を定期的若しくは不定期的に補給するようにしてもよいことは勿論である。
【００７８】
◎実施の形態１６
図３３(ａ)は本発明に関連する関連発明が適用された空気清浄装置の実施の形態１６の要部を示す。
同図において、空気清浄装置はガス除去フィルタ３３を有すると共に、このガス除去フィルタ３３には捕獲剤調整装置１００を付加し、ガス除去フィルタ３３の使用領域を区画調整するようにしたものである。
つまり、本実施の形態では、ガス除去フィルタ３３はシート状フィルタ基材を巻いてなるシートロール体５３であり、空気流通路の空気進行方向に対してシートロール体５３を長手方向に配置（シート状フィルタ基材を略平行に配置）するようになっている。
また、捕獲剤調整装置１００は、図３３(ａ)(ｂ)に示すように、ガス除去フィルタ３３の空気進行方向上流側に流路切替シャッタ３２０を設けたものである。この流路切替シャッタ３２０は、例えば円板状回転プレート３２１を回転軸３２２にて回転自在に支持し、前記回転プレート３２１の一部領域例えば四分の一領域に切欠開口３２３を設けると共に、この回転プレート３２１を駆動モータ３２４にて間欠回転させることにより前記切欠開口３２３位置を適宜タイミングで移動させるものである。
【００７９】
本例では、制御装置２００は、ガス除去フィルタ３３の使用寿命を考慮した所定の切替タイミングに基づいて駆動モータ３２４を間欠駆動し、流路切替シャッタ３２０を四分の一回転ずつ移動させる。すると、流路切替シャッタ３２０の切欠開口３２３位置が順次切り替え選択されるため、ガス除去フィルタ３３に対する空気通過流域が変わる。このため、ガス除去フィルタ３３の使用領域が順次切り替えられることになり、ガス除去フィルタ３３の使用寿命は流路切替シャッタ３２０による四回の切替に対応可能になっている。
尚、本実施の形態では、ガス除去フィルタ３３はシート状フィルタ基材を巻いたシートロール体５３であるが、これに限られるものではなく、例えば図３４に示すように、シート状フィルタ基材を蛇腹状に成形し、これを筒状に束ねた蛇腹シート筒体５４とする等適宜選定して差し支えない。但し、ガス除去フィルタ３３としては捕獲剤に接触する通風面積を広く確保する形状であれば適宜設計変更できることは勿論である。
【００８０】
◎実施の形態１７
図３５は本発明に関連する関連発明が適用された空気清浄装置の実施の形態１７の要部を示す。
同図において、空気清浄装置は、実施の形態１６と略同様に、ガス除去フィルタ３３を有すると共に、このガス除去フィルタ３３には捕獲剤調整装置１００を付加し、ガス除去フィルタ３３の使用領域を区画調整するようにしたものであるが、ガス除去フィルタ３３及び捕獲剤調整装置１００の構成が実施の形態１５と異なる。
本実施の形態において、ガス除去フィルタ３３は複数（本例では四つ）の分割要素３３１〜３３４に分割されており、ガス除去フィルタ３３の各分割要素３３１〜３３４としては例えばシート状フィルタ基材を巻いてなるシートロール体５３などが用いられるが、これに限られるものではなく適宜選定して差し支えない。そして、ガス除去フィルタ３３の各分割要素３３１〜３３４は上下に二つ単位で二列に亘った配列されており、空気流通路の空気進行方向に対して各分割要素３３１〜３３４を長手方向に配置（シート状フィルタ基材を略平行に配置）するようになっている。
【００８１】
また、捕獲剤調整装置１００は、ガス除去フィルタ３３の空気進行方向上流側に流路切替シャッタ３４０を設けたものである。この流路切替シャッタ３４０は例えば円板状回転プレート３４１を有し、この回転プレート３４１の一部に開口窓３４２を設けると共に、この回転プレート３４１を図示外の駆動モータにて間欠回転させることにより前記開口窓３４２位置を適宜タイミングで移動させ、ガス除去フィルタ３３の各分割要素３３１〜３３４位置に合わせて開口窓３４２位置を設定するものである。
本例では、図示外の制御装置は、ガス除去フィルタ３３の使用寿命を考慮した所定の切替タイミングに基づいて図示外の駆動モータを間欠駆動し、流路切替シャッタ３４０を四分の一回転ずつ移動させる。すると、流路切替シャッタ３４０の開口窓３４２位置が順次切り替え選択され、分割要素３３１〜３３４のいずれかが開口窓３４２に面して配置される。この状態において、空気流通路内の汚染空気Airは流路切替シャッタ３４０の開口窓３４２を通じてガス除去フィルタ３３の対応する分割要素（例えば３３１）を通過する。
【００８２】
この状態において、次に流路切替シャッタ３４０が流路切替動作が行われると、流路切替シャッタ３４０の開口窓３４２がガス除去フィルタ３３の他の分割要素（例えば３３２）に対応した位置に設定されることになり、ガス除去フィルタ３３の分割要素３３２がガス除去に供される。
このように、流路切替シャッタ３４０による流路切替動作を行うことでガス除去フィルタ３３の各分割要素３３１〜３３４に対する空気通過領域が変わる。このため、ガス除去フィルタ３３（分割要素３３１〜３３４）の使用領域が順次切り替えられることになり、ガス除去フィルタ３３の使用寿命は流路切替シャッタ３４０による四回の切替に対応可能になっている。
【００８３】
◎実施の形態１８
図３６(ａ)(ｂ)は本発明に関連する関連発明が適用された空気清浄装置の実施の形態１８の要部を示す。
本実施の形態において、空気清浄装置の基本的構成は実施の形態１７と略同様であり、ガス除去フィルタ３３が実施の形態１６と同様に複数の分割要素３３１〜３３４からなるものであるが、各分割要素３３１〜３３４が実施の形態１７と異なる構成になっている。尚、実施の形態１７と同様な構成要素については実施の形態１７と同様な符号を付してここではその詳細な説明を省略する。
本実施の形態では、ガス除去フィルタ３３の各分割要素３３１〜３３４はいずれも拡散スクラバー法を応用した構成になっている。
具体的には、ガス除去フィルタ３３の各分割要素３３１〜３３４は内管３５１及び外管３５２からなる二重管構造になっており、内管３５１の両端を開放したままにする一方、外管３５２の両端にはリング状の封止フランジ３５３を装着することにより内管３５１及び外管３５２間に吸収液室３５４を確保するようにしたものである。ここで、内管３５１は多孔質テフロン膜（ＰＰＴＦＥ膜；但し‘テフロン’は登録商標）にて構成されており、吸収液室３５４にはガス捕集用の吸収液３５５が収容されている。尚、ガス捕集用の吸収液としては特殊な捕集剤を使用する必要はなく、単に水を用いればよいため、水溶性の有害ガス成分、アルデヒド（ＨＣＨＯ、ＣＨ３ＣＨＯ）、酸性・塩基性ガス（ＨＦ、ＨＣｌ、ＨＮＯ３、ＳＯ２、ＮＨ３、カルボン酸、メチルアミン）等の捕集・除去が可能である。
【００８４】
本実施の形態によれば、流路切替シャッタ３４０は所定のタイミングで回転して空気流通路の流路を切り替え、開口窓３４２に面したガス除去フィルタ３３の各分割要素３３１〜３３４のいずれかを選択的に使用する。
このとき、ガス除去フィルタ３３の各分割要素３３１〜３３４としては、汚染空気Airは内管３５１内の通路３５６を通過するが、内管３５１を通過する間、汚染空気Air中のガス状化学物質Ｍは拡散して内管３５１壁（多孔質テフロン膜内壁；但し‘テフロン’は登録商標）を透過し、吸収液３５５に簡単に捕集・除去される。また、本態様においては、内管３５１内を汚染空気Airが通過するため、通気抵抗が非常に少なく、ガス状化学物室Ｍの除去性能は良好に保たれる。
尚、この種のガス除去フィルタ３３としては二重管構造に限られるものではなく、平行板型の拡散スクラバー法を採用した態様など適宜選定して差し支えない。また、本態様では、ガス除去フィルタ３３を複数の分割要素に分けているが、これに限られるものではなく、一つのガス除去フィルタ３３を拡散スクラバー法を用いて構成し、これに対して使用領域を分けるようにしてもよい。
【００８５】
◎実施の形態１９
図３７は本発明に関連する関連発明が適用された空気清浄装置の実施の形態１９の要部を示す。
同図において、空気清浄装置は、実施の形態１７，１８と同様に、空気流通路２１中にガス除去フィルタ３３を有すると共に、このガス除去フィルタ３３に捕獲剤調整装置１００を付加し、この捕獲剤調整装置１００にてガス除去フィルタ３３の使用領域を区画調整するようにしたものであるが、空気流通路２１、ガス除去フィルタ３３及び捕獲剤調整装置１００が実施の形態１７，１８と異なる構成になっている。
つまり、本実施の形態では、空気流通路２１は途中で複数（本例では四つ）に分岐し、各分岐空気流通路２１ａ〜２１ｄに夫々ガス除去フィルタ３３（３３ａ〜３３ｄ）を配設したものである。
そして、空気流通路２１の分岐部位には捕獲剤調整装置１００としての流路切替バルブ３６０が設けられており、この流路切替バルブ３６０は制御装置２００からの切替制御信号に基づいて切替動作し、複数の空気流通路２１ａ〜２１ｄのいずれかを切替選択するようになっている。
ここで、制御装置２００からの切替制御信号はガス除去フィルタ３３の使用寿命に略対応した定期期間毎に発せられるものである。
【００８６】
従って、本実施の形態によれば、空気流通路２１内の汚染空気Airは流路切替バルブ３６０にて切替選択された空気流通路（例えば２１ａ）を介してガス除去フィルタ３３ａを通過する。
この後、このガス除去フィルタ３３ａが使用寿命に近づくと、制御装置２００から切替制御信号が発せられ、流路切替バルブ３６０が切替動作された後、空気流通路（例えば２１ｂ）が切替選択される。この状態において、空気流通路２１内の汚染空気Airは流路切替バルブ３６０にて切替選択された空気流通路（例えば２１ｂ）を介してガス除去フィルタ３３ｂを通過する。以下、流路切替バルブ３６０による流路切替動作に伴って空気流通路２１ｃ、２１ｄが切替選択され、ガス除去フィルタ３３ｃ、３３ｄが順次切替選択される。
【００８７】
◎実施の形態２０
図３８は本発明に関連する関連発明が適用された空気清浄装置の実施の形態２０の要部を示す。
同図において、空気清浄装置は、二系統の空気流通路２１（２１ａ，２１ｂ）を有し、第一の空気流通路２１ａには粒子除去フィルタ３２を配設する一方、第二の空気流通路２１ｂにはガス状化学物質除去用のガス除去フィルタ３３を配設すると共に、このガス除去フィルタ３３には捕獲剤調整装置１００を付加したものである。尚、ガス除去フィルタ３３の下流側にはガス除去フィルタ３３からの生成物除去用の補助フィルタ３４を必要に応じて設けるようにしてもよい。
そして、各空気流通路２１の例えば各フィルタ３２，３３の上流側には夫々送風ファン４０（４０ａ，４０ｂ）が配設されており、各送風ファン４０（４０ａ，４０ｂ）はファン駆動制御装置４００にて速度制御されるようになっている。本例では、第一の送風ファン４０ａによる通気速度をｖ１、第二の送風ファン４０ｂによる通気速度をｖ２とした場合、ｖ１＞ｖ２の関係を満たすように調整されている。
【００８８】
本実施の形態によれば、第一の空気流通路２１ａ内の汚染空気Airは粒子除去フィルタ３２を通過するため、粒子除去フィルタ３２にて汚染空気Air中の塵埃等の粒子成分が除去される。
このとき、第一の送風ファン４０ａによる通気速度ｖ１は高速であるため、粒子成分が粒子除去フィルタ３２に確実に捕獲されることになり、その分、粒子除去フィルタ３２による粒子除去性能は良好に保たれる。
一方、第二の空気流通路２１ｂ内の汚染空気Airはガス除去フィルタ３３を通過するため、ガス除去フィルタ３３にて汚染空気Air中のガス状化学物室成分が除去される。
このとき、第二の送風ファン４０ｂによる通気速度ｖ２は低速であるため、汚染空気Airがガス除去フィルタ３３をゆっくりと通過することになり、その分、汚染空気Air中のガス状化学物質がガス除去フィルタ３３に効果的に捕獲される。
また、本実施の形態では、ガス除去フィルタ３３に捕獲剤調整装置１００が付加されているため、ガス除去フィルタ３３によるガス除去性能は長期に亘って良好に保たれる。
尚、本実施の形態では、ガス除去フィルタ３３には捕獲剤調整装置１００が付加されているが、捕獲剤調整装置１００が付加されていない態様について本実施の形態で用いたファン駆動制御（通気速度可変制御）を行うことは可能である。このことは以下の実施の形態２１〜２３においても同様である。
【００８９】
◎実施の形態２１
図３９は本発明に関連する関連発明が適用された空気清浄装置の実施の形態２１の要部を示す。
同図において、空気清浄装置は、空気流通路２１の上流側から順に、粒子成分除去用の粒子除去フィルタ３２、ガス状化学物質除去用のガス除去フィルタ３３及びガス除去フィルタ３３からの生成物除去用の補助フィルタ３４を配設したものであり、ガス除去フィルタ３３には捕獲剤調整装置１００を付加したものである。そして、各フィルタ３２〜３４の上流側には送風ファン４０が配設されており、この送風ファン４０はファン駆動制御装置４００にて速度制御されるようになっている。本例では、ファン駆動制御装置４００は送風ファン４０の通気速度を高速ｖ１と低速ｖ２（ｖ１＞ｖ２）とに定期的に切替運転する高低可変モードを有する。
本実施の形態によれば、空気流通路２１内の汚染空気Airは各フィルタ３２〜３４を順次通過する。
このとき、送風ファン４０が高速通気モード（通気速度＝高速ｖ１）にて運転されると、汚染空気Air中の粒子成分が主として粒子除去フィルタ３２に捕獲される。一方、送風ファン４０が低速通気モード（通気速度＝低速ｖ２）にて運転されると、汚染空気Air中のガス状化学物質成分が効果的にガス除去フィルタ３３に捕獲される。
【００９０】
◎実施の形態２２
図４０は本発明に関連する関連発明が適用された空気清浄装置の実施の形態２２の要部を示す。
同図において、空気清浄装置は、実施の形態２０と略同様に、空気流通路２１の上流側から順に、粒子除去フィルタ３２、ガス除去フィルタ３３及び補助フィルタ３４を配設したものであり、ガス状除去フィルタ３３には捕獲剤調整装置１００を付加する一方、各フィルタ３２〜３４の上流側には送風ファン４０を配設し、ファン駆動制御装置４００にて速度制御するものである。
特に、本実施の形態では、空気流通路２１は流路面積が途中でＡ１からＡ２（Ａ２＞Ａ１）に拡径部２１ｅを介して変化するようになっており、流路面積がＡ１の空気流通路２１に粒子除去フィルタ３２が配設される一方、流路面積がＡ２の空気流通路２１にガス除去フィルタ３３、補助フィルタ３４が配設されている。そして、ファン駆動制御装置４００は送風ファン４０を所定速度（定速度でよいが、勿論可変速度でも可）で回転駆動するようになっている。
従って、本実施の形態によれば、ファン駆動制御装置４００が送風ファン４０を定速制御すると、空気流通路２１の流路面積の違いにより、流路面積がＡ１の空気流通路２１では通気速度が高速ｖ１になり、一方、流路面積がＡ２の空気流通路２１では通気速度が低速ｖ２になる。このため、汚染空気Air中の粒子成分は高速ｖ１にて粒子除去フィルタ３２に捕獲されることになり、一方、汚染空気Air中のガス状化学物質成分は低速ｖ２にてガス除去フィルタ３３に効果的に捕獲される。
【００９１】
◎実施の形態２３
図４１は本発明に関連する関連発明が適用された空気清浄装置の実施の形態２３の要部を示す。
同図において、空気清浄装置は、空気流通路２１の途中に流路を絞る仕切り板３８０を設け、この仕切り板３８０の上流側に粒子除去フィルタ３２を配設すると共に、仕切り板３８０の下流側背面にガス除去フィルタ３３を配設し、空気流通路２１の下流側に例えば二つの送風ファン４０（４０ａ，４０ｂ）を仕切り板３８０のない領域と仕切り板３８０の背面直後とに配設し、これらの送風ファン４０（４０ａ，４０ｂ）をファン駆動制御装置４００にて制御するようにしたものである。尚、ガス除去フィルタ３３には捕獲剤調整装置１００が付加されている。
本例においては、空気流通路２１は流路面積Ａ２に形成されており、仕切り板３８０部分で流路面積Ａ１に絞られている。
従って、本実施の形態では、両方の送風ファン４０（４０ａ，４０ｂ）を駆動回転させると、空気流通路２１のうち流路面積Ａ１部分では第一の送風ファン４０ａによる通気（通気速度ｖ１）と第二の送風ファン４０ｂによる通気（通気速度ｖ２）とが同時に行われ、粒子除去フィルタ３２にはこれらの通気（ｖ１＋ｖ２）により汚染空気Airが高速で通過し、汚染空気Air内の粒子成分が粒子除去フィルタ３２に効果的に捕獲される。一方、仕切り板３８０の背面側に配設されたガス除去フィルタ３３には第二の送風ファン４０ｂによる通気（通気速度ｖ２）が回り込んで通過することになるため、汚染空気Air中のガス状化学物質成分は低速にてガス除去フィルタ３３に効果的に捕獲される。
【図面の簡単な説明】
【００９２】
【図１】(ａ)は本発明に係る空気清浄装置の概要を示す説明図、（ｂ）は本発明に関連する関連発明における第１の態様に係る空気清浄装置の概要を示す説明図である。
【図２】本発明に関連する関連発明における第２の態様に係る空気清浄装置の概要を示す説明図である。
【図３】本発明に関連する関連発明における第３の態様に係る空気清浄装置の概要を示す説明図である。
【図４】本発明が適用された空気清浄装置の実施の形態１を示す説明図である。
【図５】図４の要部説明図である。
【図６】(ａ)〜(ｃ)は実施の形態で用いられるガス除去フィルタの変形形態を示す説明図である。
【図７】本発明が適用された空気清浄装置の実施の形態２を示す要部説明図である。
【図８】(ａ)は実施の形態２で用いられる捕獲剤調整装置の概要を示す説明図、(ｂ)はその変形形態を示す説明図、(ｃ)は(ｂ)中Ｃ−Ｃ線断面説明図である。
【図９】(ａ)は実施の形態３で用いられる空気清浄装置の要部を示す説明図、(ｂ)は(ａ)中Ｂ方向から見た矢視図、(ｃ)はガス除去フィルタの変形形態を示す説明図である。
【図１０】(ａ)は実施の形態４に係る空気清浄装置の要部を示す説明図、(ｂ)は(ａ)中Ｂ方向から見た矢視図、(ｃ)〜(ｅ)はガス除去フィルタの保持構造例を示す説明図である。
【図１１】(ａ)(ｂ)は個別カートリッジの開放例を示す説明図である。
【図１２】(ａ)は実施の形態４に係る空気清浄装置の変形形態を示す説明図、(ｂ)(ｃ)は(ａ)のカートリッジの変形形態を示す説明図である。
【図１３】実施の形態５に係る空気清浄装置の概要を示す説明図である。
【図１４】(ａ)は実施の形態６に係る空気清浄装置の概要を示す説明図、(ｂ)は(ａ)中Ｂ方向から見た矢視図、(ｃ)(ｄ)は(ａ)の変形形態を示す説明図である。
【図１５】(ａ)は実施の形態７に係る空気清浄装置の概要を示す説明図、(ｂ)は捕獲剤を補給した後の状態を示す説明図である。
【図１６】(ａ)は実施の形態７に係る空気清浄装置の捕獲剤調整装置の詳細を示す説明図、(ｂ)は(ａ)中Ｂ方向から見た矢視図、(ｃ)は(ａ)中Ｃ方向の詳細図である。
【図１７】(ａ)は実施の形態７における捕獲剤調整装置の捕獲剤供給装置の変形形態を示す説明図、(ｂ)は(ａ)中Ｂ方向から見た矢視図である。
【図１８】(ａ)は実施の形態７における捕獲剤調整装置の捕獲剤供給装置の他の変形形態を示す説明図、(ｂ)は(ａ)中Ｂ方向から見た矢視図、(ｃ)は更に別の変形形態を示す説明図である。
【図１９】実施の形態８に係る空気清浄装置を示す説明図である。
【図２０】(ａ)は実施の形態９に係る空気清浄装置を示す説明図、(ｂ)はその変形形態を示す説明図である。
【図２１】実施の形態１０に係る空気清浄装置を示す説明図である。
【図２２】(ａ)は実施の形態１０で用いられる未使用捕獲剤管理装置を示す説明図、(ｂ)〜(ｄ)はその変形形態を示す説明図である。
【図２３】(ａ)〜(ｃ)は実施の形態１０で用いられるウェブ状ガス除去フィルタの変形形態を示す説明図である。
【図２４】(ａ)(ｂ)は実施の形態１０で用いられるウェブ状ガス除去フィルタの更に別の変形形態を示す説明図である。
【図２５】実施の形態１１に係る空気清浄装置を示す説明図である。
【図２６】(ａ)〜(ｄ)は実施の形態１１に係る空気清浄装置の変形形態を示す説明図である。
【図２７】(ａ)は実施の形態１２に係る空気清浄装置の要部を示す説明図、(ｂ)はその変形形態を示す説明図である。
【図２８】(ａ)は実施の形態１２に係る空気清浄装置の更に別の変形形態を示す説明図、(ｂ)は(ａ)中Ｂ方向から見た矢視図である。
【図２９】(ａ)は実施の形態１３に係る空気清浄装置の要部を示す説明図、(ｂ)はその具体的態様、(ｃ)は(ｂ)中Ｃ方向から見た矢視図である。
【図３０】実施の形態１３に係る空気清浄装置の別の変形形態を示す説明図である。
【図３１】実施の形態１４に係る空気清浄装置の要部を示す説明図である。
【図３２】実施の形態１５に係る空気清浄装置の要部を示す説明図である。
【図３３】(ａ)は実施の形態１６に係る空気清浄装置の要部を示す説明図、(ｂ)はその縦断面に相当する説明図である。
【図３４】実施の形態１６に係る空気清浄装置の変形形態を示す説明図である。
【図３５】実施の形態１７に係る空気清浄装置の要部を示す説明図である。
【図３６】(ａ)は実施の形態１８に係る空気清浄装置の要部を示す説明図、(ｂ)はその縦断面に相当する説明図である。
【図３７】実施の形態１９に係る空気清浄装置の要部を示す説明図である。
【図３８】実施の形態２０に係る空気清浄装置の要部を示す説明図である。
【図３９】実施の形態２１に係る空気清浄装置の要部を示す説明図である。
【図４０】実施の形態２２に係る空気清浄装置の要部を示す説明図である。
【図４１】実施の形態２３に係る空気清浄装置の要部を示す説明図である。
【符号の説明】
【００９３】
１(１ａ〜１ｃ)…空気流通路，２…ガス除去フィルタ，３(３ａ〜３ｃ)…捕獲剤保持部，４…捕獲剤，５…捕獲剤調整装置，６…捕獲剤供給手段，７…排出手段，８…粒子除去フィルタ，９…補助フィルタ，１０…未使用捕獲剤保管手段，１１…巻き戻し部材，１２…巻き取り部材，１３…巻き戻しホルダ，１４…引出口，１５…密封手段，１６…切替手段，Air…清浄対象空気
【図１】
0005608906.tif 000002
【図２】
0005608906.tif 000003
【図３】
0005608906.tif 000004
【図４】
0005608906.tif 000005
【図５】
0005608906.tif 000006
【図６】
0005608906.tif 000007
【図７】
0005608906.tif 000008
【図８】
0005608906.tif 000009
【図９】
0005608906.tif 000010
【図１０】
0005608906.tif 000011
【図１１】
0005608906.tif 000012
【図１２】
0005608906.tif 000013
【図１３】
0005608906.tif 000014
【図１４】
0005608906.tif 000015
【図１５】
0005608906.tif 000016
【図１６】
0005608906.tif 000017
【図１７】
0005608906.tif 000018
【図１８】
0005608906.tif 000019
【図１９】
0005608906.tif 000020
【図２０】
0005608906.tif 000021
【図２１】
0005608906.tif 000022
【図２２】
0005608906.tif 000023
【図２３】
0005608906.tif 000024
【図２４】
0005608906.tif 000025
【図２５】
0005608906.tif 000026
【図２６】
0005608906.tif 000027
【図２７】
0005608906.tif 000028
【図２８】
0005608906.tif 000029
【図２９】
0005608906.tif 000030
【図３０】
0005608906.tif 000031
【図３１】
0005608906.tif 000032
【図３２】
0005608906.tif 000033
【図３３】
0005608906.tif 000034
【図３４】
0005608906.tif 000035
【図３５】
0005608906.tif 000036
【図３６】
0005608906.tif 000037
【図３７】
0005608906.tif 000038
【図３８】
0005608906.tif 000039
【図３９】
0005608906.tif 000040
【図４０】
0005608906.tif 000041
【図４１】
0005608906.tif 000042